(57)【特許請求の範囲】
【請求項１】
フェムトセルへのユーザ機器のハンドインを容易にする方法であって、
前記フェムトセルを識別することと、
一意の識別子を前記フェムトセルに割り当てることと、なお、前記一意の識別子は、利用可能なプライマリスクランブリングコードのセットとオフセット値のセットのデカルト積から取られ、スクランブリングパラメータとタイミングパラメータとの関数である、
前記一意の識別子と前記フェムトセルとの間の関係を通信することと
を備える、方法。
【請求項２】
前記関係が、前記フェムトセルへの前記一意の識別子の割当てを表し、前記通信することが、外部エンティティへの前記関係の通信を含む、請求項１に記載の方法。
【請求項３】
前記関係が、前記タイミングパラメータに関連付けられたフレーム番号またはタイミングオフセットのうちの少なくとも１つを識別し、前記通信することが前記フェムトセルへの前記関係を送信することを含む、請求項１に記載の方法。
【請求項４】
前記フェムトセルに関連付けられたマクロノードに対応するプライマリスクランブリングコードを確認することをさらに備え、前記スクランブリングパラメータが前記プライマリスクランブリングコードに基づく、請求項１に記載の方法。
【請求項５】
前記フェムトセルに関連付けられたマクロノードに対応するプライマリスクランブリングコードを確認すること、をさらに備え、前記スクランブリングパラメータが前記プライマリスクランブリングコードに基づいている、請求項４に記載の方法。
【請求項６】
補助マクロセル情報から確認される前記プライマリスクランブリングコードが、近隣セルのペア間のワイヤレスチャネルの経路損失、マクロセルパイロット信号の品質、またはマクロセル信号の強度のうちの少なくとも１つを含む、請求項５に記載の方法。
【請求項７】
前記一意の識別子が、前記フェムトセルに関連付けられたマクロノードに対する局在エリアに関して一意である、請求項１に記載の方法。
【請求項８】
フェムトセルへのユーザ機器のハンドインを容易にする装置であって、前記装置が、
メモリに記憶されたコンピュータ実行可能構成要素を実行するように構成されたプロセッサを備え、前記構成要素が、
前記フェムトセルを識別するように構成された識別構成要素と、
一意の識別子を前記フェムトセルに割り当てるように構成された割当て構成要素と、なお、前記一意の識別子は、利用可能なプライマリスクランブリングコードのセットとオフセット値のセットのデカルト積から取られ、スクランブリングパラメータとタイミングパラメータとの関数である、
前記一意の識別子と前記フェムトセルとの間の関係を通信するように構成された送信構成要素と
を含む、装置。
【請求項９】
前記関係が、前記フェムトセルへの前記一意の識別子の割当てを表し、前記送信構成要素が、前記関係を外部エンティティに通信するように構成された、請求項８に記載の装置。
【請求項１０】
前記関係が、前記タイミングパラメータに関連付けられたフレーム番号を識別し、前記送信構成要素が、前記関係を前記フェムトセルに通信するように構成された、請求項８に記載の装置。
【請求項１１】
前記フェムトセルに関連付けられたマクロノードに対応するプライマリスクランブリングコードを確認するように構成されたコード構成要素をさらに備え、前記スクランブリングパラメータが前記プライマリスクランブリングコードに基づく、請求項８に記載の装置。
【請求項１２】
前記フェムトセルから少なくとも１つの候補プライマリスクランブリングコードの選択を受信するように構成された受信構成要素をさらに備える、請求項１１に記載の装置。
【請求項１３】
フェムトセルへのユーザ機器のハンドインを容易にするコンピュータ可読記憶媒体であって、
少なくとも１つのコンピュータに、
前記フェムトセルを識別することと、
一意の識別子を前記フェムトセルに割り当てることと、なお、前記一意の識別子は、利用可能なプライマリスクランブリングコードのセットとオフセット値のセットのデカルト積から取られ、前記フェムトセルに関連付けられたスクランブリングパラメータと前記フェムトセルに関連付けられたタイミングパラメータとの関数である、
前記一意の識別子と前記フェムトセルとの間の関係を通信することと
を行わせるためのコードを備えるコンピュータ可読記憶媒体。
【請求項１４】
前記コードがさらに、前記少なくとも１つのコンピュータに、前記スクランブリングパラメータを前記タイミングパラメータと組み合わせることによって前記一意の識別子を確認させる、請求項１３に記載のコンピュータ可読記憶媒体。
【請求項１５】
フェムトセルへのユーザ機器のハンドインを容易にする装置であって、
前記フェムトセルを識別するための手段と、
一意の識別子を前記フェムトセルに割り当てるための手段と、なお、前記一意の識別子は、利用可能なプライマリスクランブリングコードのセットとオフセット値のセットのデカルト積から取られ、スクランブリングパラメータとタイミングパラメータとの関数である、
前記一意の識別子と前記フェムトセルとの間の関係を通信するための手段と
を備える、装置。
【請求項１６】
前記スクランブリングパラメータを前記タイミングパラメータと組み合わせることによって前記一意の識別子を確認するための手段をさらに備える、請求項１５に記載の装置。
【請求項１７】
フェムトセルへのハンドインを実行することを容易にする方法であって、
アクティブな呼の間にターゲットフェムトセルを検出することと、
前記ターゲットフェムトセルに関連付けられたグローバル識別子を確認することと、なお、前記グローバル識別子は、利用可能なプライマリスクランブリングコードのセットとオフセット値のセットのデカルト積から取られ、スクランブリングパラメータとタイミングパラメータとの関数である、
前記グローバル識別子を外部エンティティに報告することと
を備える、方法。
【請求項１８】
前記グローバル識別子を確認したいという要求を受信することをさらに備え、前記グローバル識別子が、前記要求に応答して確認される、請求項１７に記載の方法。
【請求項１９】
前記確認することが、検出されるフェムトセルの検出時に自動的に実行される、請求項１７に記載の方法。
【請求項２０】
フェムトセルへのハンドインを実行することを容易にする装置であって、前記装置が、  メモリに記憶されたコンピュータ実行可能構成要素を実行するように構成されたプロセッサを備え、前記構成要素が、
アクティブな呼の間にターゲットフェムトセルを検出するように構成された検出構成要素と、
前記ターゲットフェムトセルに関連付けられたグローバル識別子を確認するように構成された識別子構成要素と、なお、前記グローバル識別子は、利用可能なプライマリスクランブリングコードのセットとオフセット値のセットのデカルト積から取られ、スクランブリングパラメータとタイミングパラメータとの関数である、
前記グローバル識別子を外部エンティティに報告するように構成された送信構成要素とを含む、装置。
【請求項２１】
前記グローバル識別子を与えたいという要求を受信するように構成された受信構成要素をさらに備え、前記識別子構成要素が、前記要求に応答して前記グローバル識別子を判断するように構成された、請求項２０に記載の装置。
【請求項２２】
前記識別子構成要素が、検出されるフェムトセルの検出時に前記グローバル識別子を自動的に判断するように構成された、請求項２０に記載の装置。
【請求項２３】
前記識別子構成要素が、フレーム番号に関連付けられたタイミングオフセットに従って前記グローバル識別子を判断するように構成された、請求項２０に記載の装置。
【請求項２４】
前記グローバル識別子が、ソースセルアクティブモードトラフィックの中断なしに受信される、請求項２３に記載の装置。
【請求項２５】
フェムトセルへのハンドインを実行することを容易にするコンピュータ可読記憶媒体であって、
少なくとも１つのコンピュータに、
アクティブな呼の間にターゲットフェムトセルを検出することと、
前記ターゲットフェムトセルに関連付けられたグローバル識別子を確認することと、なお、前記グローバル識別子は、利用可能なプライマリスクランブリングコードのセットとオフセット値のセットのデカルト積から取られ、スクランブリングパラメータとタイミングパラメータとの関数である、
前記グローバル識別子を外部エンティティに報告することと
を行わせるためのコードを備えるコンピュータ可読記憶媒体。
【請求項２６】
前記コードがさらに、前記少なくとも１つのコンピュータに、前記グローバル識別子を与えたいという要求を受信させ、前記要求に応答して前記グローバル識別子を判断させる、請求項２５に記載のコンピュータ可読記憶媒体。
【請求項２７】
フェムトセルへのハンドインを実行することを容易にする装置であって、
アクティブな呼の間にターゲットフェムトセルを検出するための手段と、
前記ターゲットフェムトセルに関連付けられたグローバル識別子を確認するための手段と、なお、前記グローバル識別子は、利用可能なプライマリスクランブリングコードのセットとオフセット値のセットのデカルト積から取られ、スクランブリングパラメータとタイミングパラメータとの関数である、
前記グローバル識別子を外部エンティティに報告するための手段と
を備える、装置。
【請求項２８】
前記確認するための手段が、検出されるフェムトセルの検出時に前記グローバル識別子を自動的に確認するための手段を備える、請求項２７に記載の装置。
【発明の詳細な説明】
【技術分野】
【０００１】
関連出願の相互参照
本出願は、２００９年２月１０日に出願された「Method and Apparatus to Enable Handoff for Mobile Stations in Active Call in UTRAN/UMTS Networks」と題する米国仮特許出願第６１／１５１，４６９号、２００９年４月２７日に出願された「Method and Apparatus to Enable Handoff for Mobile Stations in Active Call in UTRAN/UMTS Networks」と題する米国仮特許出願第６１／１７３，１１５号、２００９年３月１８日に出願された「HNB Identification for UE Active Hand-Over」と題する米国仮特許出願第６１／１６１，２５０号の利益を主張する。上述の出願は、それらの全体が参照により本明細書に組み込まれる。
【０００２】
以下の説明は、一般にワイヤレス通信に関し、より詳細には、フェムトセルへのユーザ機器のハンドイン（hand-in）を容易にするための方法および装置に関する。
【背景技術】
【０００３】
ワイヤレス通信システムは、音声、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができ得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立でき得る。
【０００５】
ＭＩＭＯシステムは、データ伝送のための複数（ＮT）個の送信アンテナおよび複数（ＮR）個の受信アンテナを採用する。ＮT個の送信アンテナとＮR個の受信アンテナとによって形成されるＭＩＭＯチャネルは、空間チャネルと呼ばれることもあるＮS個の独立チャネルに分解でき得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０００６】
ＭＩＭＯシステムは時分割複信（ＴＤＤ）および周波数分割複信（ＦＤＤ）システムをサポートする。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を取り出すことが可能になる。
【０００７】
セルラーネットワークでは、マクロノードＢ（ＭＮＢ）は、ある地理的エリアにわたって接続性とカバレージとを多数のユーザに提供する。マクロネットワーク展開は、その地理的領域にわたって良好なカバレージを提供するように慎重に計画され、設計され、実装される。そのような慎重な計画は、必要ではあるが、しかしながら、特に屋内環境においてフェージング、マルチパス、シャドーイングなどのチャネル特性に適応することができない。したがって、屋内ユーザは、不十分なユーザエクスペリエンスを生じるカバレージ問題（呼停止、品質劣化）にしばしば直面する。
【０００８】
フェムトセルまたはホームノードＢ（ＨＮＢ）として知られている小型基地局は、建築物内のセルラーカバレージを拡大することによってこの問題に対処することを期待される。フェムトセルは、新しい種類の基地局であり、この基地局は、ユーザの自宅中に設置でき得、既存のブロードバンドインターネット接続を使用して、屋内ワイヤレスカバレージをモバイルユニットに提供することができ得る。
【０００９】
しかしながら、多数のＨＮＢの無計画な展開は、おそらく、対処を必要とするいくつかの課題を生じるであろう。たとえば、モバイルユーザがフェムトセルに近接している（たとえば、セルラー加入者が帰宅している）とき、その特定のフェムトセルへのハンドオーバを可能にすることが望ましいことがある。とはいえ、そのようなハンドオーバを容易にするためにフェムトセルを一意に識別することが困難であることがある。一般に、マクロネットワークでは、ＭＮＢの識別は、一意のプライマリスクランブリングコード（ＰＳＣ）をあるカバレージエリア中のＭＮＢに割り当てることによって達成される。しかしながら、割り振られ、再使用されるＰＳＣの数が限られること、およびＭＮＢに比較してＨＮＢのカバレージの規模が小さいことにより、これはフェムトセル展開では実現可能でない。したがって、単にＨＮＢ識別のためにＰＳＣだけを使用した場合、アクティブなハンドインプロシージャの間に曖昧さが生じることになり、誤ったＨＮＢ識別により、厳しいネットワークパフォーマンス劣化が生じることになる。
【００１０】
また、ＣＥＬＬ＿ＤＣＨ（セル専用チャネル）状態のユーザ機器（ＵＥ）をＵＭＴＳマクロセルからＨＮＢセルに再配置すると、Ｉｕｒ接続の欠如により、ハードハンドオーバとの組合せＳＲＮＳ（サービング無線ネットワークサブシステム）再配置が必要になることに留意されたい。この再配置のターゲットを識別するために、ＳＲＮＣ（サービング無線ネットワークコントローラ）は、現在、ＳＲＮＳ再配置の際に使用するために、ＵＥ測定報告および／またはターゲットＲＮＣ（無線ネットワークコントローラ）に測定値をマッピングする暗黙的ＯＡ＆Ｍ（オペレーション、アドミニストレーション、およびマネージメント）のいずれかに依拠することがある。測定値は、現在、場合によっては、２８ビットグローバルセルｉｄを与えるのみである。実際は、ＲＡＮＡＰ（無線アクセスネットワークアプリケーションパート）測定プロシージャは、ＲＮＳ（無線ネットワークサブシステム）がＵＥによるセルｉｄ報告を決して要求しないと仮定する。（測定されたセルのＰＳＣのような）他の測定可能なパラメータは、測定が行われるセルの候補リストを絞り込むことを助けることがあるが、無制限ＨＮＢ展開におけるターゲットＨＮＢの識別を保証することができない。複数の候補ターゲットＨＮＢをハンドオーバのために準備しなければならないとき、これはＲＡＮＡＰシグナリングの非効率および曖昧さをもたらす。この問題は、通常「ＰＳＣ混乱（PSC confusion）」問題として知られている。
【００１１】
したがって、ＰＳＣ混乱問題が解決される、フェムトセルへのユーザ機器のハンドインを容易にするための方法および装置を開発することが望ましいであろう。現在のワイヤレス通信システムの上記で説明した欠陥は、従来のシステムの一部の問題の概観を与えるものにすぎず、網羅的なものではない。従来のシステムの他の問題、および本明細書で説明する様々な非限定的な実施形態の対応する利益は、以下の説明を検討するとさらに明らかになり得る。
【発明の概要】
【００１２】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【００１３】
１つまたは複数の実施形態およびその対応する開示に従って、ユーザ機器のハンドイン中にフェムトセルを識別することに関して、様々な態様について説明する。一態様では、フェムトセルへのユーザ機器のハンドインを容易にする方法およびコンピュータプログラム製品が開示される。そのような実施形態内では、フェムトセルが識別され、一意の識別子がフェムトセルに割り当てられる。この実施形態の場合、一意の識別子は、スクランブリングパラメータとタイミングパラメータとの関数である。次いで、一意の識別子とフェムトセルとの間の関係が通信される。
【００１４】
別の態様では、フェムトセルへのユーザ機器のハンドインを容易にする装置が開示される。そのような実施形態内では、本装置は、メモリに記憶されたコンピュータ実行可能構成要素を実行するように構成されたプロセッサを含む。コンピュータ実行可能構成要素は、識別構成要素と、割当て構成要素と、送信構成要素とを含む。識別構成要素は、フェムトセルを識別するように構成されるが、割当て構成要素は、フェムトセルに一意の識別子を割り当てるように構成される。この実施形態の場合、一意の識別子は、スクランブリングパラメータとタイミングパラメータとの関数である。送信構成要素は、一意の識別子とフェムトセルとの間の関係を通信するように構成される。
【００１５】
さらなる態様では、フェムトセルへのユーザ機器のハンドインを容易にする別の装置が開示される。そのような実施形態内では、本装置は、特定するための手段と、割り当てるための手段と、通信するための手段とを含む。この実施形態の場合、フェムトセルが識別され、一意の識別子がフェムトセルに割り当てられる。この実施形態の場合、一意の識別子は、スクランブリングパラメータとタイミングパラメータとの関数である。次いで、一意の識別子とフェムトセルとの間の関係が通信される。
【００１６】
別の態様では、フェムトセルのディスアンビギュエーション（disambiguation）を容易にする方法およびコンピュータプログラム製品が開示される。そのような実施形態内では、ターゲットフェムトセルに関連付けられた報告が受信される。この実施形態の場合、その報告は、ターゲットフェムトセルによってブロードキャストされる信号に関係する複数の属性を含む。次いで、ターゲットフェムトセルに関連付けられた識別子は、複数の属性中に含まれる少なくとも１つの属性から確認される。次いで、ターゲットフェムトセルは、識別子に基づいて少なくとも１つの他のフェムトセルと識別される。
【００１７】
フェムトセルのディスアンビギュエーションを容易にする装置も開示される。そのような実施形態内では、本装置は、メモリに記憶されたコンピュータ実行可能構成要素を実行するように構成されたプロセッサを含む。コンピュータ実行可能構成要素は、受信構成要素と、確認構成要素と、識別構成要素とを含む。受信構成要素は、ターゲットフェムトセルに関連付けられた報告を受信するように構成される。この実施形態の場合、その報告は、ターゲットフェムトセルによってブロードキャストされる信号に関係する複数の属性を含む。確認構成要素は、複数の属性中に含まれる少なくとも１つの属性からターゲットフェムトセルに関連付けられた識別子を確認するように構成される。識別構成要素は、識別子に基づいてターゲットフェムトセルを少なくとも１つの他のフェムトセルと識別するように構成される。
【００１８】
さらなる態様では、フェムトセルのディスアンビギュエーションを容易にする別の装置が開示される。そのような実施形態内では、本装置は、報告を受信するための手段と、識別子を確認するための手段と、フェムトセルを識別するための手段とを含む。この実施形態の場合、ターゲットフェムトセルに関連付けられた報告が受信される。ここで、その報告は、ターゲットフェムトセルによってブロードキャストされる信号に関係する複数の属性を含む。次いで、ターゲットフェムトセルに関連付けられた識別子は、複数の属性中に含まれる少なくとも１つの属性から確認される。次いで、ターゲットフェムトセルは、識別子に基づいて少なくとも１つの他のフェムトセルと識別される。さらなる態様では、本装置は、候補フェムトセルのリストをコンパイルするための手段を含む。
【００１９】
別の態様では、フェムトセルを識別することを容易にする方法およびコンピュータプログラム製品が開示される。そのような実施形態内では、タイミングパラメータを含む通信が受信され、スクランブリングパラメータが設定される。タイミングパラメータに関係するオフセットも確認される。次いで、スクランブリングパラメータを含む信号が、そのオフセットに従ってブロードキャストされる。
【００２０】
フェムトセルを識別することを容易にする装置も開示される。そのような実施形態内では、本装置は、メモリに記憶されたコンピュータ実行可能構成要素を実行するように構成されたプロセッサを含む。コンピュータ実行可能構成要素は、受信構成要素と、スクランブル構成要素と、タイミング構成要素と、送信構成要素とを含む。受信構成要素は、タイミングパラメータを含む通信を受信するように構成されるが、スクランブル構成要素は、スクランブリングパラメータを設定するように構成される。タイミング構成要素は、タイミングパラメータに関係するオフセットを確認するように構成される。送信構成要素は、スクランブリングパラメータを含む信号をオフセットに従ってブロードキャストするように構成される。
【００２１】
さらなる態様では、フェムトセルを識別することを容易にする別の装置が開示される。そのような実施形態内では、本装置は、通信を受信するための手段と、スクランブリングパラメータを設定するための手段と、オフセットを確認するための手段と、信号をブロードキャストするための手段とを含む。この実施形態の場合、タイミングパラメータを含む通信が受信され、スクランブリングパラメータが設定される。タイミングパラメータに関係するオフセットも確認される。次いで、スクランブリングパラメータを含む信号が、そのオフセットに従ってブロードキャストされる。さらなる態様では、確認するための手段は、オフセットを選択するための手段、および／または通信からオフセットを外挿するための手段を含む。
【００２２】
別の態様では、フェムトセルへのハンドインを実行することを容易にする方法およびコンピュータプログラム製品が開示される。そのような実施形態内では、ターゲットフェムトセルがアクティブな呼の間に検出され、ターゲットフェムトセルに関連付けられたグローバル識別子が確認される。次いで、グローバル識別子は外部エンティティに報告される。
【００２３】
フェムトセルへのハンドインを実行することを容易にする装置も開示される。そのような実施形態内では、本装置は、メモリに記憶されたコンピュータ実行可能構成要素を実行するように構成されたプロセッサを含む。コンピュータ実行可能構成要素は、検出構成要素と、識別子構成要素と、送信構成要素とを含む。検出構成要素は、アクティブな呼の間にターゲットフェムトセルを検出するように構成されるが、識別子構成要素は、ターゲットフェムトセルに関連付けられたグローバル識別子を確認するように構成される。送信構成要素は、グローバル識別子を外部エンティティに報告するように構成される。
【００２４】
さらなる態様では、フェムトセルへのハンドインを実行することを容易にする別の装置が開示される。そのような実施形態内では、本装置は、ターゲットフェムトセルを検出するための手段と、グローバル識別子を確認するための手段と、グローバル識別子を報告するための手段とを含む。この実施形態の場合、ターゲットフェムトセルがアクティブな呼の間に検出され、ターゲットフェムトセルに関連付けられたグローバル識別子が確認される。次いで、グローバル識別子は外部エンティティに報告される。さらなる態様では、本装置は、検出されるフェムトセルの検出時にグローバル識別子を自動的に確認するための手段を含む。
【００２５】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に記載する。ただし、これらの態様は、様々な実施形態の原理を採用することができる様々な方法のほんのいくつかを示すものであり、説明する実施形態は、すべてのそのような態様およびそれらの均等物を含むものとする。
【図面の簡単な説明】
【００２６】
【図１】本明細書に記載の様々な態様によるワイヤレス通信システムの図。
【図２】本明細書で説明する様々なシステムおよび方法とともに採用できる例示的なワイヤレスネットワーク環境の図。
【図３】ネットワーク環境内でのアクセスポイント基地局の展開を可能にする例示的な通信システムを示す図。
【図４】本明細書の一態様による、フェムトセルへのユーザ機器のハンドインを容易にするための例示的なシステムの概観を示す図。
【図５】本明細書の一態様による、ノードの例示的なトポロジー表現を示す図。
【図６】フェムトセルターゲット候補を含む、再配置プロシージャの例示的な開始を示す図。
【図７】フェムトセルターゲット候補を含む、別の例示的な再配置プロシージャを示す図。
【図８】一実施形態による、フェムトセルへのユーザ機器のハンドインを容易にするための例示的な環境を示す図。
【図９】本明細書の一態様による、フェムトセルへのユーザ機器のハンドインを容易にする例示的な割当てユニットのブロック図。
【図１０】フェムトセルへのユーザ機器のハンドインを容易にすることを実現する電気的構成要素の例示的な結合の図。
【図１１】本明細書の一態様による、フェムトセルへのユーザ機器のハンドインを容易にするための例示的な方法を示すフローチャート。
【図１２】本明細書の一態様による、フェムトセルのディスアンビギュエーションを容易にする例示的なディスアンビギュエーションユニットのブロック図。
【図１３】フェムトセルをディスアンビギュエートすることを実現する電気的構成要素の例示的な結合の図。
【図１４】本明細書の第１の態様による、フェムトセルのディスアンビギュエーションを容易にする第１の例示的な方法を示すフローチャート。
【図１５】本明細書の一態様による、フェムトセルのディスアンビギュエーションを容易にする第２の例示的な方法を示すフローチャート。
【図１６】本明細書の一態様による、フェムトセルを識別することを容易にする例示的なフェムトセルユニットのブロック図。
【図１７】フェムトセルを識別することを容易にすることを実現する電気的構成要素の例示的な結合の図。
【図１８】本明細書の一態様による、フェムトセルを識別することを容易にするための例示的な方法を示すフローチャート。
【図１９】本明細書の一態様による、フェムトセルへのハンドインを実行することを容易にする例示的なワイヤレス端末のブロック図。
【図２０】フェムトセルへのハンドインを実行することを容易にすることを実現する電気的構成要素の例示的な結合の図。
【図２１】本明細書の一態様による、フェムトセルへのハンドインを実行することを容易にするための例示的な方法を示すフローチャート。
【図２２】複数のセルを含む様々な態様に従って実装される例示的な通信システムの図。
【図２３】本明細書で説明する様々な態様による例示的な基地局の図。
【図２４】本明細書で説明する様々な態様に従って実装される例示的なワイヤレス端末の図。
【発明を実施するための形態】
【００２７】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施できることは明らかであろう。他の例では、１つまたは複数の実施形態の説明を円滑にするために、よく知られている構造およびデバイスをブロック図の形態で示す。
【００２８】
本明細書は、ＵＭＴＳフェムトセルネットワーク中でマクロノードＢからホームノードＢへのユーザ機器のハンドインを可能にするための、ホームノードＢを一意に識別する方法およびフレームワークを開示する。上述のＰＳＣ混乱問題に対処するための実施形態も提供される。一態様では、ネットワークは、ユーザ機器（ＵＥ）と、マクロノードＢ（ＭＮＢ）と、ホームノードＢ（ＨＮＢ）と、ホームノードＢ管理システム（ＨＭＳ）と、ホームノードＢゲートウェイ（ＨＮＢ−ＧＷ）とを備える。ハンドインのために、マクロネットワークは、（たとえば、ソースＲＮＣ（ＳＲＮＣ）を介して、またはＭＮＢを介して）近傍で検出されたＨＮＢを報告するようにＵＥに要求する。ＵＥは、スロット、フレーム同期を実行し、プライマリスクランブリングシーケンス（ＰＳＣ）を取得する。一般に、ＵＴＲＡでは、ＭＮＢを一意に識別するためにＰＳＣが使用される。しかしながら、システム中のＨＮＢの数は、ＨＮＢに対して割り当てられたＰＳＣよりもはるかに多いので、これは、ＭＮＢおよび／またはターゲットＨＮＢ−ＧＷでのＨＮＢ識別プロセス中に曖昧さを生じる。これは、劣化したネットワークパフォーマンスを生じる誤ったハンドオフをトリガする。
【００２９】
開示する実施形態は、ＨＮＢに一意の識別属性を割り当てることによって、ＨＮＢ識別の曖昧さに対処する。一態様では、ＨＮＢ識別属性は、拡散シーケンスのセットとＳＦＮオフセットのセットとのクロス乗積から取られるタプル（tuples）である。マクロネットワークへの（すなわち、ＳＲＮＣまたはＭＮＢへの）ＵＥの報告は、ＨＮＢを一意に識別するために検索されるＨＮＢ識別属性を含んでいる。また、提案する手法は、レガシーＵＥに適用可能であり、規格またはマクロネットワークの変更を必要としない。高密度ＨＮＢ展開において、またはＨＮＢ属性割当てが集中型でないとき、クロス乗積タプルは、ＨＮＢを識別することにおける曖昧さをはなはだ減少させる。次いで、近くのＵＥのアップリンクチャネルを感知するＨＮＢによって最終識別をさらに解決することができる。
【００３０】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、高速パケットアクセス（ＨＳＰＡ）、および他のシステムなど様々なワイヤレス通信システムに対して使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。ＣＤＭＡ２０００は、ＩＳ−２０００、ＩＳ−９５、およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳの今度のリリースである。
【００３１】
シングルキャリア周波数分割多元接続（ＳＣ−ＦＤＭＡ）は、シングルキャリア変調および周波数領域等化を利用する。ＳＣ−ＦＤＭＡは、ＯＦＤＭＡシステムと同様のパフォーマンスおよび本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは、たとえば、より低いＰＡＰＲが送信電力効率の点でアクセス端末に大きな利益を与えるアップリンク通信において使用できる。したがって、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡでアップリンク多元接続方式として実装できる。
【００３２】
高速パケットアクセス（ＨＳＰＡ）は、高速ダウンリンクパケットアクセス（ＨＳＤＰＡ）技術と高速アップリンクパケットアクセス（ＨＳＵＰＡ）または拡張アップリンク（ＥＵＬ）技術とを含むことができ、ＨＳＰＡ＋技術をも含むことができる。ＨＳＤＰＡ、ＨＳＵＰＡおよびＨＳＰＡ＋は、それぞれ、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）規格のリリース５、リリース６、およびリリース７の一部である。
【００３３】
高速ダウンリンクパケットアクセス（ＨＳＤＰＡ）は、ネットワークからユーザ機器（ＵＥ）へのデータ送信を最適化する。本明細書で使用する、ネットワークからユーザ機器ＵＥへの送信は「ダウンリンク」（ＤＬ）と呼ばれることがある。送信方法は、数Ｍｂｉｔ／ｓのデータレートを可能にすることができる。高速ダウンリンクパケットアクセス（ＨＳＤＰＡ）は、モバイル無線ネットワークの容量を増大させることができる。高速アップリンクパケットアクセス（ＨＳＵＰＡ）は、端末からネットワークへのデータ送信を最適化することができる。本明細書で使用する、端末からネットワークへの送信は「アップリンク」（ＵＬ）と呼ばれることがある。アップリンクデータ送信方法は、数Ｍｂｉｔ／ｓのデータレートを可能にすることができる。ＨＳＰＡ＋は、３ＧＰＰ規格のリリース７において規定されているようにアップリンクとダウンリンクの両方においてなお一層の改善を可能にする。高速パケットアクセス（ＨＳＰＡ）方法は、一般に、たとえば、ボイスオーバＩＰ（ＶｏＩＰ）、ビデオ会議およびモバイルオフィスアプリケーションの大容量のデータを送信するデータサービスにおいて、ダウンリンクとアップリンクとの間のより高速な対話を可能にする。
【００３４】
ハイブリッド自動再送要求（ＨＡＲＱ）などの高速データ伝送プロトコルは、アップリンクとダウンリンクとの上で使用できる。ハイブリッド自動再送要求（ＨＡＲＱ）などのそのようなプロトコルは、受信者が、間違って受信された可能性があるパケットの再送信を自動的に要求できるようにする。
【００３５】
様々な実施形態について、アクセス端末に関して本明細書で説明する。アクセス端末は、システム、加入者ユニット、加入者局、移動局、モバイル、リモート局、リモート端末、モバイルデバイス、ユーザ端末、端末、ワイヤレス通信デバイス、ユーザエージェント、ユーザデバイス、またはユーザ機器（ＵＥ）とも呼ばれることがある。アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、様々な実施形態について、基地局に関して本明細書で説明する。基地局は、（１つまたは複数の）アクセス端末と通信するために利用でき、アクセスポイント、ノードＢ、進化型ノードＢ（ｅノードＢ）、または何らかの他の用語で呼ばれることもある。
【００３６】
次に図１を参照すると、本明細書で提示する様々な実施形態によるワイヤレス通信システム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナを利用することができる。基地局１０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００３７】
基地局１０２は、アクセス端末１１６およびアクセス端末１２２などの１つまたは複数のアクセス端末と通信することができるが、基地局１０２は、アクセス端末１１６および１２２と同様の実質的にいかなる数のアクセス端末とも通信することができることを諒解されたい。アクセス端末１１６および１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための任意の他の適切なデバイスとすることができる。図示のように、アクセス端末１１６はアンテナ１１２および１１４と通信しており、アンテナ１１２および１１４は、順方向リンク１１８を介してアクセス端末１１６に情報を送信し、逆方向リンク１２０を介してアクセス端末１１６から情報を受信する。その上、アクセス端末１２２はアンテナ１０４および１０６と通信しており、アンテナ１０４および１０６は、順方向リンク１２４を介してアクセス端末１２２に情報を送信し、逆方向リンク１２６を介してアクセス端末１２２から情報を受信する。周波数分割複信（ＦＤＤ）システムでは、たとえば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を使用することができる。さらに、時分割複信（ＴＤＤ）システムでは、順方向リンク１１８および逆方向リンク１２０は共通の周波数帯を利用し、順方向リンク１２４および逆方向リンク１２６は共通の周波数帯を利用することができる。
【００３８】
アンテナの各グループおよび／またはそれらが通信するように指定されたエリアは、基地局１０２のセクタと呼ばれることがある。たとえば、基地局１０２によってカバーされるエリアのセクタ中のアクセス端末に通信するようにアンテナグループを設計することができる。順方向リンク１１８および１２４を介した通信では、基地局１０２の送信アンテナは、アクセス端末１１６および１２２の順方向リンク１１８および１２４の信号対雑音比を改善するためにビームフォーミングを利用することができる。また、基地局１０２は、ビームフォーミングを利用して、関連するカバレージにわたってランダムに散在するアクセス端末１１６および１２２に送信するが、基地局が単一のアンテナを介してその基地局のすべてのアクセス端末に送信する場合と比較して、隣接セル中のアクセス端末は干渉を受けにくい。
【００３９】
図２に、例示的なワイヤレス通信システム２００を示す。ワイヤレス通信システム２００には、簡潔のために、１つの基地局２１０と、１つのアクセス端末２５０とを示してある。ただし、システム２００は２つ以上の基地局および／または２つ以上のアクセス端末を含むことができ、追加の基地局および／またはアクセス端末は、以下で説明する例示的な基地局２１０およびアクセス端末２５０と実質的に同様または異なるものとすることができることを諒解されたい。さらに、基地局２１０および／またはアクセス端末２５０は、それらの間のワイヤレス通信を容易にするために、本明細書で説明するシステムおよび／または方法を採用することができることを諒解されたい。
【００４０】
基地局２１０において、いくつかのデータストリームのトラフィックデータがデータソース２１２から送信（ＴＸ）データプロセッサ２１４に供給される。一例によれば、各データストリームは、それぞれのアンテナを介して送信できる。ＴＸデータプロセッサ２１４は、トラフィックデータストリーム用に選択された特定の符号化方式に基づいて、そのデータストリームをフォーマット化し、符号化し、インターリーブして、符号化データを供給する。
【００４１】
各データストリームの符号化データは、直交周波数分割多重（ＯＦＤＭ）技法を使用してパイロットデータと多重化できる。追加または代替として、パイロットシンボルは、周波数分割多重（ＦＤＭ）、時分割多重（ＴＤＭ）、または符号分割多重（ＣＤＭ）とすることができる。パイロットデータは、一般に、知られている方法で処理される知られているデータパターンであり、チャネル応答を推定するためにアクセス端末２５０において使用できる。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）して、変調シンボルを供給することができる。各データストリームのデータレート、符号化、および変調は、プロセッサ２３０によって実行または与えられる命令によって判断できる。
【００４２】
データストリームの変調シンボルはＴＸ  ＭＩＭＯプロセッサ２２０に供給され、ＴＸ  ＭＩＭＯプロセッサ２２０は、（たとえば、ＯＦＤＭ用に）変調シンボルをさらに処理することができる。次いで、ＴＸ  ＭＩＭＯプロセッサ２２０は、ＮT個の変調シンボルストリームをＮT個の送信機（ＴＭＴＲ）２２２ａ〜２２２ｔに供給する。様々な実施形態では、ＴＸ  ＭＩＭＯプロセッサ２２０は、データストリームのシンボルと、シンボルの送信元のアンテナとにビームフォーミング重みを適用する。
【００４３】
各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機２２２ａ〜２２２ｔからのＮT個の変調信号は、それぞれＮT個のアンテナ２２４ａ〜２２４ｔから送信される。
【００４４】
アクセス端末２５０では、送信された変調信号はＮR個のアンテナ２５２ａ〜２５２ｒによって受信され、各アンテナ２５２から受信された信号は、それぞれの受信機（ＲＣＶＲ）２５４ａ〜２５４ｒに供給される。各受信機２５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを供給する。
【００４５】
ＲＸデータプロセッサ２６０は、特定の受信機処理技法に基づいてＮR個の受信機２５４からＮR個の受信シンボルストリームを受信し、処理して、ＮT個の「検出」シンボルストリームを供給することができる。ＲＸデータプロセッサ２６０は、各検出シンボルストリームを復調し、デインタリーブし、復号して、データストリームのトラフィックデータを復元することができる。ＲＸデータプロセッサ２６０による処理は、基地局２１０においてＴＸ  ＭＩＭＯプロセッサ２２０およびＴＸデータプロセッサ２１４によって実行される処理を補足するものである。
【００４６】
プロセッサ２７０は、上述のように、どの利用可能な技術を利用すべきかを周期的に判断することができる。さらに、プロセッサ２７０は、行列インデックス部分とランク値部分とを備える逆方向リンクメッセージを作成することができる。
【００４７】
逆方向リンクメッセージは、通信リンクおよび／または受信データストリームに関する様々なタイプの情報を備えることができる。逆方向リンクメッセージは、データソース２３６から複数のデータストリームのトラフィックデータをも受信するＴＸデータプロセッサ２３８によって処理され、変調器２８０によって変調され、送信機２５４ａ〜２５４ｒによって調整され、基地局２１０に戻される。
【００４８】
基地局２１０において、アクセス端末２５０からの変調信号は、アンテナ２２４によって受信され、受信機２２２によって調整され、復調器２４０によって復調され、ＲＸデータプロセッサ２４２によって処理されて、アクセス端末２５０によって送信された逆方向リンクメッセージが抽出される。さらに、プロセッサ２３０は、抽出されたメッセージを処理して、ビームフォーミング重みを判断するためにどのプリコーディング行列を使用すべきかを判断することができる。
【００４９】
プロセッサ２３０および２７０は、それぞれ基地局２１０およびアクセス端末２５０における動作を指示（たとえば、制御、調整、管理など）することができる。それぞれのプロセッサ２３０および２７０は、プログラムコードおよびデータを記憶するメモリ２３２および２７２に関連付けできる。プロセッサ２３０および２７０はまた、それぞれ、アップリンクとダウンリンクとに関して周波数推定値とインパルス応答推定値とを導き出すために計算を実行することができる。
【００５０】
図３に、ネットワーク環境内でアクセスポイント基地局の展開を可能にするための例示的な通信システムを示す。図３に示すように、システム３００は、複数のアクセスポイント基地局または、代替として、フェムトセル、たとえば、ＨＮＢ３１０などのホームノードＢユニット（ＨＮＢ）、またはホーム進化型ノードＢユニット（ＨｅＮＢ）を含み、各々は、たとえば、１つまたは複数のユーザ住居３３０中などの対応する小規模ネットワーク環境中に設置され、関連するならびに外来のユーザ機器（ＵＥ）または移動局３２０にサービスするように構成される。各ＨＮＢ３１０は、さらに、ＤＳＬルータ（図示せず）、あるいは、代替的に、ケーブルモデム（図示せず）を介してインターネット３４０とモバイル事業者コアネットワーク３５０とに結合される。
【００５１】
次に図４を参照すると、本明細書の一態様による、フェムトセルへのユーザ機器のハンドインを容易にするための例示的なシステムの概観が与えられている。図示のように、システム４００は、マクロネットワーク４１０と、ローカルフェムトセルネットワーク４２０と、ワイヤレス端末４３０と、フェムトセルゲートウェイ４４０とを含む。そのような実施形態内では、マクロネットワーク４１０は基地局４１２と無線ネットワークコントローラ４１４とを含み、マクロネットワーク４１０は、基地局４１２のいずれかを介してワイヤレス端末４３０とのアクティブ通信（たとえば、音声、データなど）を容易にすることができ得る。アクティブ通信の間、マクロネットワーク４１０は、ローカルフェムトセルネットワーク４２０のいずれかの内のフェムトセル４２４を含むネイバーセルリスト内のセルをスキャンするようにワイヤレス端末４３０に指示する制御メッセージをワイヤレス端末４３０に与える。制御メッセージによって設定されたマクロネットワーク設定に基づいて、ワイヤレス端末４３０は、次いで、それらの信号に関連する特定の属性および／または測定値を示す報告をマクロネットワーク４１０に与え、その報告は、その後、検出されたフェムトセル４２４を容易に識別するために使用でき得る。
【００５２】
そのような識別を容易にするために、フェムトセル４２４の各々は、フェムトセル４２４に割り当てられた特定のパラメータに従って信号をブロードキャストするように構成される。たとえば、一実施形態では、フェムトセル４２４の各々は、フェムトセル信号をブロードキャストするために使用されるタイミングオフセットを明らかにする測定値と結合された、ワイヤレス端末４３０によって報告されるプライマリスクランブリングコード（ＰＳＣ）に基づいて、容易に識別可能である。
【００５３】
図示のように、ローカルフェムトセルネットワーク４２０は、フェムトセルゲートウェイ４４０と通信し、それぞれ管理デバイス４２２と複数のフェムトセル４２４とを含む。一態様では、管理デバイス４２２および／またはフェムトセルゲートウェイ４４０のいずれかはフェムトセル４２４に識別子を割り当てるように構成され、次いで、フェムトセル４２４は、それ自体を識別することを容易にするためにその識別子を使用することができ得る。
【００５４】
一態様では、図４に示す様々な要素は、様々な方法でフェムトセルの一意の識別を容易にする。以下の説明では、各要素によって実行される例示的なプロシージャの要素ごとの説明が与えられる。
【００５５】
最初に、「ホームノードＢ管理システム」（ＨＭＳ）（すなわち、管理デバイス４２２）によって実行されるステップについて説明し、ＨＭＳは、ホームノードＢ（ＨＮＢ）ネットワーク（すなわち、ローカルフェムトセルネットワーク４２０）を管理する。一態様では、ＨＮＢが電源投入されたとき、初期化メッセージがＨＭＳとＨＮＢとの間で交換される。たとえば、ＨＮＢの近傍のＭＮＢの、たとえば、ＲＳＳＩ（受信信号強度指示）、ＲＳＣＰ（受信信号符号電力）、Ｅｃ／Ｉｏ（総受信エネルギーまたは全電力スペクトル密度Ｉｏに対する受信パイロットエネルギーＥｃの比）などを含む信号品質測定報告が収集される。報告に基づいて、ＨＮＢに対するマクロノードＢ（ＭＮＢ）（すなわち、基地局４１２）が割り当てられ得、ＨＮＢは、ＨＮＢに割り当てられたＰＳＣから好適なＰＳＣのセットを選択することができる。そのような実施形態内では、ＨＮＢに割り当てられ得るプライマリスクランブリングコードのセットは、
【数１】
0005389948.tif 000002
【００５６】
のように示されることを諒解されたい。上式で、Ｋは、利用可能な（すなわち、ＨＮＢに割り振られる）プライマリスクランブリングコードの数を示す。
【００５７】
この実施形態の場合、ＨＮＢによって選択されたプライマリスクランブリングコードのセットは、ＨＭＳに送信される。ＰＳＣのセットを受信した後、ＨＭＳは、ＨＮＢに割り当てるべき好適なオフセット値（Δ）を探し、オフセットは、０〜２５５の間の整数のセットから選択される。その上、オフセットのセットは、次のように定義される。
【数２】
0005389948.tif 000003
【００５８】
次に、プライマリスクランブリングコードおよびオフセット値がＨＮＢに割り当てられる。特定の一実施形態では、ＳとΔとのデカルト積が取られ、
【数３】
0005389948.tif 000004
【００５９】
のように定義される、拡散シーケンスとオフセット値とのペアを含んでいるＨＮＢ識別子のセットを生じる。
【００６０】
次いで、ＨＭＳは、ＨＮＢＩＤセットから未使用のペアを選択し、それをＨＮＢに割り当てる。ここで、ＨＮＢＩＤセットの長さはＳとΔのセットの長さに依存することに留意されたい。一態様では、ＨＮＢの初期化段階中に、ＨＮＢＩＤからのペアが選択され、ＨＮＢに割り当てられる。しかしながら、別の態様では、ＨＮＢは、Δのセットから識別子をランダムに選ぶことが可能である。ＨＮＢと関連するＨＮＢＩＤとのリストはまた、ＭＮＢに送信できる。
【００６１】
次に、例示的なＨＮＢ−ＧＷ（すなわち、フェムトセルゲートウェイ４４０）によって実行されるセットアッププロシージャについて説明する。ここで、ＨＮＢ−ＧＷが、ＨＭＳについて説明するプロシージャのすべてまたはサブセットを実行することができ得ることを諒解されたい。一態様では、ＨＮＢ−ＧＷは、様々なタイプの情報をコンパイルすることによってセットアッププロシージャを支援する。たとえば、ＨＮＢ−ＧＷは、ＨＮＢから受信された近傍測定値をコンパイルすることができる。
【００６２】
ＨＮＢ−ＧＷはまた、ＨＮＢ測定報告に基づいて近隣トポロジーグラフをコンパイルすることができ得る。そのような実施形態の場合、数個の仮定が企図される。たとえば、図５に示すトポロジーグラフを参照すると、ホームノード５１０は、ネイバーマクロノード５１２と、マクロノード５２２と、ホームノード５３０とを宣言するが、ホームノード５２０は、ネイバーマクロノード５２２と、マクロノード５３２とを宣言すると仮定される。
【００６３】
トポロジーグラフをコンパイルすることによって、様々なタイプの関連情報を確認することができる。たとえば、ＰＳＣおよびセルｉｄなどの独立型情報をノードに関連付けることができる。一態様では、ＳＦＮnode1−ＳＦＮnode2などの双方向相対情報もリンクに関連付けられる。別の態様では、（たとえば、Ｅｃ／Ｉｏ、ＲＳＳＩなど）単指向性情報も関連付けることができ、その場合、情報が収集されたパースペクティブ（perspective）を指定すべきである。
【００６４】
そのようなトポロジー表現は、場合によってはＨＮＢにおいて局所的に利用可能でないことがある情報を導出するために有用であり得ることを、当業者は諒解されよう。図５では、たとえば、ＵＥ（すなわち、ワイヤレス端末４３０）がホームノード５１０に接近しており、マクロノード５３２のみが測定報告中に含まれていた場合、トポロジー表現は、以下を取得することによって、ホームノード５１０をハンドオーバのための候補として識別することができる。
【数４】
0005389948.tif 000005
【００６５】
ここで、上記の計算が可能であるためには、ホームノード５１０とマクロノード５３２とがリンクを介して接続される必要があることに留意されたい。また、マクロネットワークは同期することを期待されないので、各ノードにおける高々１つのリンクを同期させることができる。さらに、すべての他のリンク上のＳＦＮ差の時間ドリフトを追跡しなければならない。
【００６６】
図５に示すノードＢの近隣は、ＨＮＢが、近隣の大部分またはすべてのＭＮＢの可視性を有する展開において有用であり得るＨＮＢのＭＮＢネイバーに制限でき得ることにさらに留意されたい。別の態様では、ノードＢの近隣は、ＳＦＮｎｏｄｅ１−ＳＦＮｎｏｄｅ２の計算を実行するために移動すべきリンクの数を制限するのに有用であり得るＨＮＢのＨＮＢネイバーを含むことができ得る。
【００６７】
次に、ＨＮＢによって実行されるステップについて説明する。例示的な一実施形態では、初期スロットおよびフレーム同期ならびにコードグループ識別の後、ＨＮＢは、１次共通制御物理チャネル（Ｐ−ＣＣＰＣＨ）を検出し、システムおよびセル固有のＢＣＨ（ブロードキャストチャネル）情報を取得する。一態様では、ＭＮＢのＳＦＮは、約２０ミリ秒ごとにＢＣＨトランスポートチャネル上で送信される。この実施形態の場合、ＢＣＨはＰ−ＣＣＰＣＨにマッピングされ、ＳＦＮは、約１０ミリ秒ごとに増分され、４０．９６秒ごとに繰り返す。したがって、ＳＦＮの範囲は［０，．．．，４０９５］である。
【００６８】
別の態様では、ＨＮＢは、ＭＮＢのＳＦＮを取得し、ＨＭＳによって与えられたオフセットに基づいてそれ自体のＳＦＮを設定する。これは、次のように行われ得る。
【数５】
0005389948.tif 000006
【００６９】
ここで、ＳＦＮHNBを、ダウンリンクチャネル上で一定の間隔で送信されるＳＦＮMNBの増分と容易に同期させ、追跡することができるので、上記のアルゴリズムには時間ドリフトという欠点がないことに留意されたい。一態様では、ＳＦＮ初期化プロシージャはすべてのＨＮＢによって同様に実行され、あらゆるＨＮＢにＳＦＮが割り当てられる。
【００７０】
上記のプロシージャに加えて、ＨＮＢはまた、近傍の他のセルを検出し、測定することができ得る。これはＨＮＢとＭＮＢとを含む。例示的な一実施形態では、そのようなセル検出および測定プロシージャは、ＨＮＢ中に存在する「ネットワークリッスン」モジュールによって実行でき得る。別の実施形態では、それは、ＵＥ測定報告を介して実行でき得る。
【００７１】
ここで、そのようなＵＥ測定報告はまた、同様のＨＮＢ識別情報を収集するためにＳＲＮＣ（すなわち、無線ネットワークコントローラ４１４）によって使用できることに留意されたい。これは、マクロ変更が許容できる場合、ＳＲＮＣにおけるＨＮＢ識別のために検討され得る。代替的に、ＳＲＮＣは、（ＨＮＢ／ＮＢ−ＧＷ／ＯＡＭからＣＮ（コアネットワークノード）を通る）ＲＡＮＡＰ型Ｉｕｒメッセージング、ＯＡＭから（ＨＭＳから）の直接のシグナリング、あるいは（たとえば、ＳＲＮＣが単に別のＨＮＢである場合）ＨＮＢまたはＨＮＢ−ＧＷとの直接リンクを介して、ＨＮＢの近隣について通知され得る。
【００７２】
ＨＮＢはまた、その近隣のセルの様々な測定値を確認するために使用でき得る。たとえば、ＨＮＢ測定値は、その近隣のすべての検出されたセルのＰＳＣ、ＳＦＮ、Ｅｃ／Ｉｏ、ＲＳＳＩを含むことができ得る。これらの測定値は、ＨＭＳおよび／またはＨＮＢ−ＧＷに周期的に送信でき得る。
【００７３】
したがって、一態様では、ＨＮＢ−ＧＷは、各ＨＮＢについての近隣マッピング、ならびに近隣のトポロジー表現を有することができる。これは、上述のＰＳＣおよび／またはＳＦＮ情報に関するものとすることができる。
【００７４】
さらなる態様では、集中型ＳＦＮ割振りが（ＨＭＳまたはＨＮＢ−ＧＷを介して）可能でない場合、ＨＮＢは、検出された近隣ＭＮＢまたはＨＮＢに関してそれらのＳＦＮをランダムに、または分散的な方法でセットアップすることができる。そのような分散割振りは、一意性を保証することができないことがあるが、ハンドオーバ試行のＨＮＢ候補のリストを絞り込むのを助けるであろう。
【００７５】
次に、ＵＥによって実行されるステップについて説明し、これらのステップの後にレガシーＵＥが続くことができ得る。アクティブな呼において、ＵＥは、ＭＮＢに接続され、Ｃｅｌｌ＿ＤＣＨまたはＣｅｌｌ＿ＦＡＣＨ（セル順方向リンクアクセスチャネル）中にある。ＵＥは、マクロネットワーク（ＳＲＮＣまたはＭＮＢ）から、近傍のノードＢ（マクロまたはホーム）を測定し、報告したいという要求を受信する。これは、周波数内イベントまたは周波数間イベントあるいはＲＡＴ間（無線アクセス技術）イベントを構成することによって達成される。ＳＲＮＣは、ネイバーセルリストまたは測定制御メッセージを介してＰＳＣ情報を与える。
【００７６】
一実施形態では、ＵＥは、３段同期プロシージャを実行し、各ＰＳＣについての測定値を取得する。測定値は、ＰＳＣ、ＳＦＮ＿ｃｅｌｌ−ＣＦＮ、Ｅｃ／Ｉｏ、ＲＳＳＩ、および／またはＰＬを含むことができ得る。次いで、ＵＥは、以下の情報をＳＲＮＣに送信することができ得る。第１に、ＲＡＣＨ上で送信されるＵＥのＭＲＭ中で、ＵＥは、監視されたセルノードＢ（マクロまたはホーム）のＰＳＣ、ＳＦＮ−ＣＦＮ時間差（Ｃｅｌｌ＿ＤＣＨ）、Ｅｃ／Ｉｏ、ＲＳＳＩ、および／またはＰＬ（パスロス（経路損失））を含むことができ得る。第２に、ＳＲＮＣは、ＭＣＭを通して追加の測定値を要求することができ得、ＭＣＭは、ＰＳＣの中でも、サービングＭＮＢに対する測定値要求を含んでいる。そのような実施形態内では、ＵＥは、測定を実行し、ＭＲＭをＳＲＮＣに送信し、ＲＡＣＨ（ランダムアクセスチャネル）を介して送信されるＭＲＭは、最高６つの最強のネイバーセルの測定値を含むことができ得る。第３に、ＨＮＢ−ＧＷにおいて利用可能になるように、すべてのアクティブＵＥのＭＲＭがＳＲＮＣに送信されることが有用である。
【００７７】
次に、ＳＲＮＣおよびＨＮＢ−ＧＷによって実行されるステップについて説明する。一態様では、ＳＲＮＣは、ＵＥ報告を取得し、ＳＲＮＳ再配置を開始する。次いで、ＳＲＮＣは、ＵＥのＭＲＭをＨＮＢ−ＧＷに送信することができ得る。次いで、ＨＮＢ−ＧＷは、ＭＲＭからＨＮＢＩＤを抽出することができる。これを示すために、以下の例について考える。
【００７８】
ＨＮＢ１が識別子｛ｓｃ１，Δ１｝を割り当てられると仮定する。ＵＥがＨＮＢ１に接近するとき、周波数内測定または周波数間測定がトリガされる。ＵＥは、ＮＣＬまたはＭＣＭ上で送信されるセルを測定し、ＨＮＢ１についてのエントリ｛ｓｃ１，ＣＦＮ−ＳＦＮHNB1，Ｅｃ／Ｉｏ１，ＲＳＳＩ１，．．．｝を含んでいるＭＲＭを送信する。その場合、ＳＲＮＣは、ＭＮＢ  ＰＳＣ（たとえば、ｓｃ２）を与えるＭＣＭを構成する。その場合、ＵＥのＭＲＭは、ＭＮＢについてのエントリ｛ｓｃ２，ＣＦＮ−ＳＦＮMNB，Ｅｃ／Ｉｏ２，ＲＳＳＩ２，．．．｝を含んでいる。
【００７９】
次いで、ＳＲＮＣは、ＳＲＮＳ再配置を開始し、（場合によっては単一のＭＲＭ中の）２つのＵＥ報告をＨＮＢ−ＧＷに送信する。次いで、ＨＮＢ−ＧＷは、第１のＭＲＭからｓｃ１を抽出し、ならびに２つの報告からシステムフレーム番号間の差を抽出する。すなわち、
【数６】
0005389948.tif 000007
【００８０】
となる。次いで、｛ｓｃ１，Δ１｝から、ＨＮＢ−ＧＷは、ターゲットＨＮＢ（すなわち、上記の例のＨＮＢ１）を識別することができる。
【００８１】
ＭＮＢがその近隣の一部としてＨＮＢ１によって検出されなかった場合には、ＨＮＢ−ＧＷはトポロジー表現を使用してΔ１を取得することができる。一般に、移動されるトポロジーリンクの数が多ければ多いほど、より広いエリアにわたってディスアンビギュエートするために（ＰＳＣ，ΔＳＦＮ）タプルが使用されるので、ＮＢディスアンビギュエーション機能がより不良になる。
【００８２】
Δ１を計算するために移動されなければならないリンクの数を最小限に抑えるために、あるＨＮＢが、実際、潜在的なハンドオーバ候補であることを保証するための追加の基準を検討することができる。そのような基準は、たとえば、ＵＥ  ＭＲＭからのＲＳＣＰまたはＥｃ／Ｎ０報告と、潜在的な候補ＨＮＢのために記憶される同様の報告と使用することを含むことができ得る。これは、概して、ＵＥが潜在的な候補ＨＮＢの近傍にある可能性を高めるであろう。別の態様では、（ＤＬ受信機、またはＵＥ測定値を介した）ＨＮＢの近隣リストの収集のために、より低い検出しきい値が可能であり得る。さらに別の態様では、他のノードから受信されたＵＥ  ＭＲＭからの情報も（たとえばＳＲＮＳ再配置シグナリングを介して）使用でき得る。
【数７】
0005389948.tif 000008
【００８３】
を計算するための、ＨＮＢから移動すべき最大のリンクの数ＭａｘＬｉｎｋｓＨＮＢを使用して、そのＨＮＢの近隣を少なくとも部分的に定義することができることを諒解されたい。たとえば、ＭａｘＬｉｎｋｓHNBよりも多くのリンクを移動する必要がある場合、ｓｏｕｒｃｅＮＢはＨＮＢの近隣の一部でない。その場合、ＨＮＢは、ｓｏｕｒｃｅＮＢからハンドオーバするＵＥの可能なターゲット候補として考えられないであろう。
【００８４】
不正確なＨＮＢ識別から呼ドロップをさらに低減するために、ＨＮＢ−ＧＷ、ＨＮＢまたはＳＲＮＣのいずれかが、さらに、成功したハンドオーバイベントと失敗したハンドオーバイベントとに対応するＭＲＭを記録することができる。一般性を制限することなしに、そのような情報を使用する方法は、以下のようになり得る。
【００８５】
成功したハンドオーバ⇒ＭＲＭを使用してＨＮＢのネイバーリストを増補する。
【００８６】
失敗したハンドオーバ⇒ＵＥ  ＩＭＳＩに関連してＭＲＭを使用して、固有のＵＥについて将来の不正確なＨＮＢ識別を防ぐ。
【００８７】
このソリューションは、いかなるマクロまたは規格の変更もを必要とすることなしに実装できる。マクロ変更が考えられる場合、上記のプロシージャはＳＲＮＣにおいて実行できる。
【００８８】
次に、ＭＮＢによって実行されるステップについて説明する。一態様では、ＵＥの報告を取得すると、ＭＮＢは、オフセットおよびスクランブリングコード情報を検索する。次いで、ＭＮＢは、スクランブリングコードがそのコードグループｉｄ中に入るかどうかを検査し、次いで、識別子ＨＮＢＩＤに基づいてＨＮＢを識別する。一致が発見された場合、ハードハンドオフプロシージャが開始される。一方、ＰＳＣがそのコードグループｉｄ中にない場合、ＭＮＢは（オフセット、スクランブリングコード）情報をＨＭＳに送信し、次いで、ＨＭＳは、正しいＨＮＢを解決し、ハードハンドオフを開始するであろう。
【００８９】
プレリリース９ＵＥの場合のＰＳＣ混乱ソリューション
次に、プレリリース９ＵＥに関するＰＳＣ混乱問題に対処するための態様について説明する。これらの態様では、図６の場合のように、ＲＡＮＡＰ再配置プロシージャを使用する通常のハンドオーバ開始が考えられる。ＨＮＢ−ＧＷが展開選定によって一意に識別され得る場合も考えられ、ＨＮＢ−ＧＷが再配置要求をすべての候補ターゲットＨＮＢに転送すると仮定される。
【００９０】
リリース８では、ＨＮＢ−ＧＷに２８ビットターゲットセルＩＤを供給するために、「ソースＲＮＣからターゲットＲＮＣへのトランスペアレントコンテナ（Source RNC to Target RNC Transparent Container）」がＲＡＮＡＰ再配置プロシージャによって使用される。しかしながら、ＰＳＣ混乱問題のために、実際のターゲットセルＩＤは未知であり得る。
【００９１】
ターゲットセルｉｄの欠如を仮定すれば、ディスアンビギュエーションをサポートするために以下の情報がＨＮＢ−ＧＷにとって利用可能になり得ることが企図される。第１に、再配置要求をトリガしたターゲットセルのＰＳＣが利用可能になり得る。一態様では、ＰＳＣは、随意に含まれる測定報告（高々９ビットであるが、より少ないことがある）から利用可能であり、この情報が含まれない場合、ディスアンビギュエーション問題が悪化することに留意されたい。
【００９２】
第２に、ソース（マクロ）セルの識別情報またはロケーションもＨＮＢ−ＧＷにとって利用可能になり得る。ソースセルｉｄが利用可能である場合、ＨＮＢ−ＧＷはソースセルｉｄをＨＮＢからの無線環境測定値（Radio Environment Measurements）と相関させることができる（ＨＮＢ登録時に、および場合によっては事後登録の更新を通じても、これらの測定値を必須にするようにＨＮＢＡＰの変更が必要になり得る）。ＨＮＢ−ＧＷにおけるそのような「マクロ対ＨＮＢ候補セット」マッピングは、ＨＮＢ  ＰＳＣ情報とともに、ターゲットＨＮＢを絞り込むのを助ける。
【００９３】
ディスアンビギュエーション問題を緩和するために、ＨＮＢ−ＧＷに上記情報を提供するための様々な方法が企図される。たとえば、ソース（マクロ）セルのグローバルセルｉｄは、「ソースＲＮＣからターゲットＲＮＣへのトランスペアレントコンテナ」中で送信できる。そのような実施形態内では、新しいＩＥ、または既存のターゲットセルＩＤがその目的のために使用できる。この情報はまた、ＳＲＮＣが、ターゲットＨＮＢＰＳＣをもつ測定報告を与えることを必須にすることによって提供できる。
【００９４】
別の態様では、ディスアンビギュエーション問題は、ＲＡＮＡＰ再配置をすべての潜在的なＨＮＢに転送することによって緩和される。この実施形態の場合、ＨＮＢは、そのＨＮＢが候補であるか否かをＨＮＢ−ＧＷに通知するために利用される。また、候補ＨＮＢのリストをさらに絞り込むために、ＲＡＮＡＰ再配置メッセージ、ならびにＨＮＢＡＰ側で相関させるための対応する情報中に追加の測定値（たとえば、ＣＦＮ−ＳＦＮ差）を含めることができる。
【００９５】
さらなる態様では、ハンドオーバより前に、ハンドオーバ候補ＨＮＢのリストをさらに絞り込むために、（ＲＡＮＡＰ再配置情報から導出された）ターゲット候補ＨＮＢに対してアップリンク同期を試みることができる。また、ＵＥ測定値ならびにＨＮＢ−ＵＥアップリンク同期結果に基づいてターゲットＨＮＢをランク付けすることができる。
【００９６】
次に図７を参照すると、フェムトセルターゲット候補を含む例示的な再配置プロシージャが示されている。Ｒｅｌ−８ＲＡＮＡＰ要求プロシージャに続いて、候補ＨＮＢの各々は、ＳＲＮＣがＵＥに適用するためのＲＲＣハンドオーバメッセージを（すなわち、「ターゲットＲＮＣからソースＲＮＣへのトランスペアレントコンテナ（Target RNC to Source RNC Transparent Container）」中に）含めることによって再配置要求を確認する。単一のターゲットＨＮＢセルが識別された場合、ソリューションは簡単である。しかしながら、複数の候補ターゲットＨＮＢが識別された場合、異なるＲＲＣハンドオーバメッセージが、ターゲット候補ＨＮＢからのＲＡＮＡＰ確認応答を通してＨＮＢ−ＧＷによって受信されることがある。以下で、ＨＮＢ−ＧＷが、もしあればこれらのＲＲＣハンドオーバメッセージのうちのどれを、ＣＮを通してＳＲＮＳに転送すべきかについての説明を与える。
【００９７】
第１の実施形態では、すべてのＨＮＢは、標準確認応答ＲＢセットアップを有すること（たとえば、ＤＣＨ  Ｒ９９）が必要である。そのような実施形態内では、各ＨＮＢは、ＳＲＮＳからハンドオーバした後、ＵＥを再構成することが可能である。
【００９８】
別の可能性は、ＨＮＢ−ＧＷにターゲット候補ＨＮＢをランク付けさせることである。この実施形態の場合、ＨＮＢ−ＧＷは、一度に１つのＨＮＢを（または代替的にグループ単位で）ランク付けする可能性の順序での再配置のみを準備するように構成され得る。ここで、再配置が誤ったＨＮＢ中で準備された場合、ＣＥＬＬ＿ＤＣＨ  ＵＥはソースに戻り、その場合、ＳＲＮＳは、再配置を次の候補ＨＮＢに対して再試行できるようにしなければならない。ＳＲＮＳはまた、ＨＮＢ−ＧＷに失敗を通知する必要があり得る。
【００９９】
さらに別の態様では、ＵＥが候補ＨＮＢにアクセスできるかどうかに従って再配置が処理される。この場合、ＵＥがアクセスを許可されたセルのみを（同時にまたは連続的に）準備することが提案される。この実施形態では、ＣＥＬＬ＿ＤＣＨ  ＵＥが、アクセスできないＨＮＢにハンドオーバした場合、ＵＥはソースに戻ることになり、再配置は前に説明したようにさらに処理され得る。
【０１００】
要約すれば、プレリリース９ＵＥに関するＰＳＣ混乱問題を解決するための様々な実施形態が開示される。たとえば、再配置ターゲットがＨＮＢであるとき、ソースグローバルセルｉｄがＨＮＢ−ＧＷにとって利用可能になる一実施形態が与えられた。ＨＮＢがＨＮＢ−ＧＷにその無線環境測定値を与え、ならびに、ＨＮＢ−ＧＷが、ＵＥがアクセスを許可されたターゲットＨＮＢのための再配置のみを準備する一実施形態も開示された。
【０１０１】
ターゲットセルｉｄがＨＮＢ−ＧＷにとって利用可能になり得ない状況において、ＨＮＢ−ＧＷにターゲットＰＳＣが与えられる一実施形態が開示された。再配置がＵＥ測定報告によってトリガされた場合、これは、それをＲＡＮＡＰ再配置中に含めることによって達成可能である。現在、その測定の包含は随意である。
【０１０２】
ＨＮＢ−ＧＷが、ターゲットＨＮＢである可能性に基づいて候補ＨＮＢをランク付けする実施形態も開示された。ここで、そのような可能性は、たとえば、ＨＮＢにおけるＵＥ受信電力に基づいて、および／またはＵＥ測定値に基づいて確立できる。この実施形態の場合、ＨＮＢ−ＧＷは、ランク付け順序で、一度に１つまたは複数の候補ターゲットＨＮＢに対する再配置を試みることができ得る。
【０１０３】
リリース９＋ＵＥの場合のＰＳＣ混乱ソリューション
リリース９＋ＵＥの場合、ＰＳＣ混乱問題を解決するための実施形態は、ターゲットＨＮＢのグローバルセルｉｄを利用可能にすることを含み、ハンドオーバ決定が行われたとき、グローバルセルｉｄはＳＲＮＳに対するＨＮＢを一意に識別する。この実施形態の場合、ターゲットＨＮＢのセルｉｄは、ＳＩＢ３／４中でブロードキャストされる。このセルｉｄをＳＲＮＳにとって利用可能にすることは、ＰＳＣ問題を解決するであろう。ＣＥＬＬ＿ＤＣＨ中の現在のＵＥは、（ＳＩＢがブロードキャストされた場合）ＢＣＣＨ論理チャネルを読み取る機能をすでに有しており、ＵＥは、ソフトハンドオーバサポートのためのＣＦＮ対ＳＦＮの差を報告するためにターゲットセルのＳＦＮを報告する。次いで、ＰＳＣ混乱問題は、ＳＲＮＳがＵＥ測定値中でセルｉｄ報告を要求できるようにすることによって解決できる。しかしながら、一態様では、ＳＲＮＣは、ハンドオーバ候補セルの識別情報に曖昧さがあるそれらのセルのセルｉｄを報告するようにのみＵＥに依頼する。
【０１０４】
例示的な実施形態
次に図８を参照すると、フェムトセルへのユーザ機器のハンドインを容易にするための例示的な環境が与えられる。図示のように、環境８００は、割当てユニット８１０と、ディスアンビギュエーションユニット８２０と、フェムトセルユニット８３０と、ワイヤレス端末８４０とを含む。この実施形態の場合、割当てユニット８１０と、ディスアンビギュエーションユニット８２０と、フェムトセルユニット８３０と、ワイヤレス端末８４０との各々は、ネットワーク８５０を介して互いに通信可能に結合される。各構成要素の詳細な説明が以下に与えられる。
【０１０５】
次に図９を参照すると、一実施形態によるフェムトセルへのユーザ機器のハンドインを容易にする例示的な割当てユニットのブロック図が与えられる。図示のように、割当てユニット９００は、プロセッサ構成要素９１０と、メモリ構成要素９２０と、識別構成要素９３０と、割当て構成要素９４０と、送信構成要素９５０と、受信構成要素９６０と、コード構成要素９７０とを含むことができ得る。
【０１０６】
一態様では、プロセッサ構成要素９１０は、複数の関数のいずれかを実行することに関係するコンピュータ可読命令を実行するように構成される。プロセッサ構成要素９１０は、割当てユニット９００から通信すべき情報を分析すること、ならびに／あるいはメモリ構成要素９２０、識別構成要素９３０、割当て構成要素９４０、送信構成要素９５０、受信構成要素９６０、および／またはコード構成要素９７０によって利用できる情報を生成することに専用の単一のプロセッサまたは複数のプロセッサとすることができる。追加または代替として、プロセッサ構成要素９１０は、１つまたは複数の構成要素割当てユニット９００を制御するように構成でき得る。
【０１０７】
別の態様では、メモリ構成要素９２０は、プロセッサ構成要素９１０に結合され、プロセッサ構成要素９１０によって実行されるコンピュータ可読命令を記憶するように構成される。メモリ構成要素９２０はまた、識別構成要素９３０、割当て構成要素９４０、送信構成要素９５０、受信構成要素９６０、および／またはコード構成要素９７０のいずれかによって生成されるデータを含む複数の他のタイプのデータのいずれかを記憶するように構成でき得る。メモリ構成要素９２０は、ランダムアクセスメモリ、バッテリーバックアップ付きメモリ、ハードディスク、磁気テープなどを含むいくつかの異なる構成で構成できる。圧縮および自動バックアップなどの様々な特徴（たとえば、Ｒｅｄｕｎｄａｎｔ  Ａｒｒａｙ  ｏｆ  Ｉｎｄｅｐｅｎｄｅｎｔ  Ｄｒｉｖｅｓ構成の使用）はまた、メモリ構成要素９２０上に実装できる。
【０１０８】
図示のように、割当てユニット９００はまた、識別構成要素９３０と割当て構成要素９４０とを含むことができ得る。そのような実施形態内では、識別構成要素９３０は、フェムトセルを識別するように構成されるが、割当て構成要素９４０は、フェムトセルに一意の識別子を割り当てるように構成される。この実施形態の場合、一意の識別子は、スクランブリングパラメータとタイミングパラメータとの関数である。たとえば、一意の識別子は、スクランブリングパラメータをタイミングパラメータと組み合わせることによって確認でき得る。
【０１０９】
別の態様では、割当てユニット９００は、プライマリスクランブリングコードを確認するように構成されたコード構成要素９７０を含む。ここで、コード構成要素９７０によって確認されるプライマリスクランブリングコードは、フェムトセルに関連付けられたマクロノード（たとえば、フェムトセルを包含するカバレージエリアを有するマクロノード）に対応する。この実施形態の場合、一意の識別子を取得するために割当て構成要素９４０によって利用されるスクランブリングパラメータは、プライマリスクランブリングコードに基づく。
【０１１０】
さらに別の態様では、送信構成要素９５０および受信構成要素９６０は、プロセッサ構成要素９１０に結合され、割当てユニット９００を外部エンティティとインターフェースするように構成される。たとえば、送信構成要素９５０は、一意の識別子とフェムトセルとの間の関係を通信する（たとえば、一意の識別子がこの特定のフェムトセルに割り当てられることをフェムトセルおよび／または外部エンティティに通信する）ように構成でき得るが、受信構成要素９６０は、（すなわち、一意の識別子を確認することを容易にするために）フェムトセルからプライマリスクランブリングコードの選択を受信するように構成でき得る。
【０１１１】
図１０を参照すると、一実施形態によるフェムトセルへのユーザ機器のハンドインを容易にするシステム１０００が示されている。システム１０００は、たとえば、割当てユニット９００（たとえば、フェムトセルゲートウェイ４４０および／または管理デバイス４２２）あるいはコンピュータ可読記憶媒体内に常駐することができる。図示のように、システム１０００はプロセッサ、ソフトウェア、またはそれらの組合せ（たとえば、ファームウェア）によって実装される機能を表すことができる機能ブロックを含む。システム１０００は、連携して動作することができる電気的構成要素の論理グルーピング１００２を含む。図示のように、論理グルーピング１００２は、フェムトセルを識別するための電気的構成要素１０１０を含むことができる。さらに、論理グルーピング１００２は、スクランブリングパラメータとタイミングパラメータとに基づいてフェムトセルに一意の識別子を割り当てるための電気的構成要素１０１２を含むことができる。論理グルーピング１００２はまた、一意の識別子とフェムトセルとの間の関係を通信するための電気的構成要素１０１４を含むことができる。さらに、システム１０００は、電気的構成要素１０１０、１０１２、および１０１４に関連付けられた機能を実行するための命令を保持するメモリ１０２０を含むことができる。メモリ１０２０の外部にあるものとして図示されているが、電気的構成要素１０１０、１０１２、および１０１４はメモリ１０２０の内部に存在することができることを理解されたい。
【０１１２】
次に図１１を参照すると、フェムトセルへのユーザ機器のハンドインを容易にするための例示的な方法を示すフローチャートが与えられる。図示のように、プロセス１１００は、本明細書の一態様による、割当てユニット（たとえば、フェムトセルゲートウェイ４４０および／または管理デバイス４２２）によって実行され得る一連の行為（act）を含む。たとえば、プロセス１１００は、一連の行為を実装するためにコンピュータ可読記憶媒体に記憶されたコンピュータ実行可能命令を実行するためにプロセッサを採用することによって実装でき得る。別の実施形態では、少なくとも１つのコンピュータに、プロセス１１００の行為を実装させるためのコードを備えるコンピュータ可読記憶媒体が企図される。
【０１１３】
一態様では、プロセス１１００は、行為１１０５において、割当てユニットがフェムトセルを識別することから開始し、その後、行為１１１０において、フェムトセルに関連付けられたマクロセルを識別する。次いで、プロセス１１００は、行為１１１５において、フェムトセルについてプライマリスクランブリングコードを確認することに進み、その後、行為１１２０において、フェムトセルについてタイミングオフセットを確認する。ここで、いくつかの実施形態の場合、プライマリスクランブリングコードおよび／またはタイミングオフセットがフェムトセルによって選択可能になり得ることを諒解されたい。
【０１１４】
プライマリスクランブリングコードとタイミングオフセットとが確認されると、プロセス１１００は、フェムトセルの一意の識別子を導出する行為１１２５に進む。一実施形態では、一意の識別子は、プライマリスクランブリングコードとタイミングオフセットとの関数である。たとえば、特定の一実施形態では、一意の識別子は、プライマリスクランブリングコードとタイミングオフセットとのクロス乗積を取ることによって計算される。一意の識別子が導出されると、プロセス１１００は、行為１１３０において、割当てユニットが、一意の識別子とフェムトセルとの間の排他的関係を識別する割当てを通信することで終わる。
【０１１５】
次に図１２を参照すると、ブロック図は、様々な態様による例示的なディスアンビギュエーションユニットを示す。図示のように、ディスアンビギュエーションユニット１２００は、プロセッサ構成要素１２１０と、メモリ構成要素１２２０と、受信構成要素１２３０と、確認構成要素１２４０と、識別構成要素１２５０と、トポロジー構成要素１２６０と、コンパイル構成要素１２７０と、準備構成要素１２８０と、送信構成要素１２９０とを含むことができ得る。
【０１１６】
割当てユニット９００中のプロセッサ構成要素９１０と同様に、プロセッサ構成要素１２１０は、複数の関数のいずれかを実行することに関係するコンピュータ可読命令を実行するように構成される。プロセッサ構成要素１２１０は、ディスアンビギュエーションユニット１２００から通信される情報を分析すること、ならびに／あるいはメモリ構成要素１２２０、受信構成要素１２３０、確認構成要素１２４０、識別構成要素１２５０、トポロジー構成要素１２６０、コンパイル構成要素１２７０、準備構成要素１２８０、および／または送信構成要素１２９０によって利用できる情報を生成することに専用の単一のプロセッサまたは複数のプロセッサとすることができる。追加または代替として、プロセッサ構成要素１２１０は、ディスアンビギュエーションユニット１２００の１つまたは複数の構成要素を制御するように構成でき得る。
【０１１７】
別の態様では、メモリ構成要素１２２０は、プロセッサ構成要素１２１０に結合され、プロセッサ構成要素１２１０によって実行されるコンピュータ可読命令を記憶するように構成される。メモリ構成要素１２２０はまた、受信構成要素１２３０、確認構成要素１２４０、識別構成要素１２５０、トポロジー構成要素１２６０、コンパイル構成要素１２７０、準備構成要素１２８０、および／または送信構成要素１２９０のいずれかによって生成されるデータを含む複数の他のタイプのデータのいずれかを記憶するように構成でき得る。ここで、メモリ構成要素１２２０が割当てユニット９００中のメモリ構成要素９２０に類似することに留意されたい。したがって、メモリ構成要素９２０の上述の特徴／構成のいずれかはまた、メモリ構成要素１２２０に適用可能であることを諒解されたい。
【０１１８】
さらに別の態様では、受信構成要素１２３０および送信構成要素１２９０はまた、プロセッサ構成要素１２１０に結合され、ディスアンビギュエーションユニット１２００を外部エンティティとインターフェースするように構成される。
【０１１９】
たとえば、受信構成要素１２３０は、ターゲットフェムトセルに関連付けられた報告を受信するように構成でき得る。ここで、受信された報告が、ターゲットフェムトセルによってブロードキャストされた信号に関係する複数の属性のいずれかを含むことができ得ることを諒解されたい。別の態様では、受信構成要素１２３０は複数の割当てを受信するように構成され、複数の割当ての各々は、フェムトセルを、対応する一意の識別子と排他的にペアにする。この特定の実施形態の場合、たとえば、割当ては、割当てユニット９００から受信でき得る。
【０１２０】
別の実施形態では、送信構成要素１２９０は、報告ユーザ機器に命令を与えるために、ディスアンビギュエーションユニット１２００によって利用される。たとえば、送信構成要素１２９０は、必要に応じて、ターゲットフェムトセルに関連付けられたプライマリスクランブリングコードを与えるためにユーザ機器を初期化することを含む、ユーザ機器を初期化する命令を与えるように構成でき得る。たとえば、一実施形態では、ユーザ機器は、ターゲットフェムトセルが検出されると、プライマリスクランブリングコードを自動的に与えるように初期化でき得る。別の実施形態では、しかしながら、ユーザ機器は、要求を受信したときのみ、プライマリスクランブリングコードを与えるように初期化でき得る。
【０１２１】
図示のように、ディスアンビギュエーションユニット１２００は確認構成要素１２４０をさらに含む。そのような実施形態内では、確認構成要素１２４０は、ターゲットフェムトセルに関連付けられた識別子を確認するように構成される。この実施形態の場合、識別子は、受信構成要素１２３０を介して受信された報告中に含まれる少なくとも１つの属性から確認される。さらなる実施形態では、確認構成要素１２４０は、その報告を利用して、スクランブリングパラメータとタイミングパラメータとの各々を発見するように構成される。そのような実施形態内では、確認構成要素１２４０は、次いで、スクランブリングパラメータとタイミングパラメータとに基づいて識別子を確認する。
【０１２２】
ここで、確認構成要素１２４０によって使用されるタイミングパラメータがノード間の相対情報を使用して確認でき得ることに留意されたい。たとえば、トポロジー構成要素１２６０は、複数のノードのトポロジー表現を維持するように構成でき得、トポロジー表現は、ノード間の相対情報（たとえば、互いにノードに関連付けられた時間ドリフト）を含む。
【０１２３】
別の態様では、ディスアンビギュエーションユニット１２００は識別構成要素１２５０を含む。そのような実施形態内では、識別構成要素１２５０は、識別子に基づいてターゲットフェムトセルを少なくとも１つの他のフェムトセルと識別するように構成される。ここで、識別構成要素１２５０がこの識別を複数の方法のいずれかで実行するように構成でき得ることを諒解されたい。たとえば、受信構成要素１２３０がフェムトセルを対応する一意の識別子と排他的にペアにする上述の割当てを受信する状況において、識別構成要素１２５０は、確認構成要素１２４０によって確認された識別子を、一致する一意の識別子と関連付けるように構成でき得る。識別構成要素１２５０はまた、ソースセルに関連付けられたグローバル識別子、またはターゲットフェムトセルに関連付けられた無線環境測定値のセットなどの他のパラメータに基づいて、ターゲットフェムトセルを識別するように構成でき得る。
【０１２４】
他の実施形態では、識別構成要素１２５０は、コンパイル構成要素１２７０と連携して動作することができ得る。たとえば、一態様では、コンパイル構成要素１２７０は、候補フェムトセルのリストをコンパイルし、ターゲットフェムトセルである可能性に従って候補フェムトセルのリストをランク付けするように構成される。そのような実施形態内では、ランク付けは、たとえば、候補フェムトセルにおいて受信されたユーザ機器電力を含む複数のパラメータのいずれか、または報告中に含まれる複数の属性のいずれかに基づくことができる。次いで、識別構成要素１２５０は、ランク付けに一致する順序で候補フェムトセルのリストをテストするように構成でき得る。ここで、識別構成要素１２５０は、個々に、またはグループ単位のいずれかで、候補フェムトセルのリストをテストするように構成でき得ることに留意されたい。
【０１２５】
コンパイル構成要素１２７０はまた、準備構成要素１２８０とともに動作するように構成でき得る。たとえば、一態様では、コンパイル構成要素１２７０は、ユーザ機器（すなわち、受信構成要素１２３０を介して受信される報告を生成したユーザ機器）によってアクセス可能なフェムトセルのセットを識別するように構成される。そのような実施形態内では、準備構成要素１２８０は再配置準備を実行するように構成され、再配置準備は、ユーザ機器によってアクセス可能なフェムトセルのセットを準備することのみを含む。
【０１２６】
コンパイル構成要素１２７０はまた、候補フェムトセルのリストを減らすための様々な方法のいずれかを実装することができ得る。たとえば、コンパイル構成要素１２７０は、たとえば、再配置メッセージ中に含まれる測定値、および／または候補フェムトセル上で実行されるアップリンク同期試行を含む複数のファクタのいずれかに従って候補フェムトセルのリストを減らすように構成でき得る。コンパイル構成要素１２７０が候補フェムトセルのリストをコンパイルするために利用することができる他のパラメータは、候補フェムトセルの各々に関連付けられた近傍測定値、および／または少なくとも１つの外部ノードから受信されたユーザ機器測定値を含むことができ得る。候補フェムトセルのリストの効力はまた、候補フェムトセルを検出することに関連付けられたしきい値を操作すること、および／または候補フェムトセルの各々に関連付けられたハンドオーバ試行の履歴を維持することによって制御でき得る。
【０１２７】
次に図１３を参照すると、一実施形態によるフェムトセルのディスアンビギュエーションを容易にするシステム１３００が示されている。システム１３００、および／またはシステム１３００を実装するための命令は、たとえば、ディスアンビギュエーションユニット１２００（たとえば、フェムトセルゲートウェイ４４０および／または無線ネットワークコントローラ４１４）内に、またはコンピュータ可読記憶媒体内に物理的に常駐することができ、システム１３００は、プロセッサ、ソフトウェア、またはそれらの組合せ（たとえば、ファームウェア）によって実装される機能を表すことができる機能ブロックを含む。その上、システム１３００は、システム１０００中の論理グルーピング１００２と同様に、連携して動作することができる電気的構成要素の論理グルーピング１３０２を含む。図示のように、論理グルーピング１３０２は、ターゲットフェムトセルによってブロードキャストされた信号に関連付けられた報告を受信するための電気的構成要素１３１０を含むことができる。さらに、論理グルーピング１３０２は、報告中に含まれる少なくとも１つの属性から、ターゲットフェムトセルに関連付けられた識別子を確認するための電気的構成要素１３１２を含むことができる。論理グルーピング１３０２はまた、識別子に基づいてターゲットフェムトセルを少なくとも１つの他のフェムトセルと識別するための電気的構成要素１３１４を含むことができる。さらに、システム１３００は、電気的構成要素１３１０、１３１２、および１３１４に関連付けられた機能を実行するための命令を保持するメモリ１３２０を含むことができる。メモリ１３２０の外部にあるものとして図示されているが、電気的構成要素１３１０、１３１２、および１３１４はメモリ１３２０の内部に存在することができることを理解されたい。
【０１２８】
次に図１４を参照すると、フェムトセルのディスアンビギュエーションを容易にするための例示的な方法を示すフローチャートが与えられている。図示のように、プロセス１４００は、本明細書の一態様に従ってディスアンビギュエーションユニットによって実行され得る一連の行為を含む。たとえば、プロセス１４００は、一連の行為を実装するためにコンピュータ可読記憶媒体に記憶されたコンピュータ実行可能命令を実行するためにプロセッサを採用することによって実装でき得る。別の実施形態では、少なくとも１つのコンピュータに、プロセス１４００の行為を実装させるためのコードを備えるコンピュータ可読記憶媒体が企図される。
【０１２９】
一態様では、プロセス１４００は、行為１４０５において、ディスアンビギュエーションユニットがフェムトセル識別割当てを受信することから開始する。この特定の実施形態の場合、受信された割当ての各々は、フェムトセルを、対応する一意の識別子と排他的にペアにする。その上、この実施形態の場合、一意の識別子の各々は、フェムトセルに関連付けられたプライマリスクランブリングコードとタイミングオフセットとの関数である。
【０１３０】
次に、行為１４１０において、プロセス１４００は、それらの対応する一意の識別子に従ってフェムトセルを容易に識別するためのルックアップテーブルの生成を進める。そのような実施形態内では、ルックアップテーブルは、受信されたフェムトセル識別割当てによってポピュレートされる。
【０１３１】
次いで、行為１４１５において、ユーザ機器報告を受信し、その後、行為１４２０において、報告からターゲットセルパラメータを抽出する。この実施形態の場合、報告から抽出されたパラメータは、フェムトセルに割り当てられた特定のタイミングオフセットおよび／またはフェムトセルに関連付けられた特定のスクランブリングコードを含む。ターゲットセルパラメータを抽出すると、プロセス１４００は、行為１４２５において、抽出されたパラメータに基づいて一意の識別子を確認する。たとえば、前述のように、一意の識別子は、割り当てられたタイミングオフセットとフェムトセルに関連付けられたプライマリスクランブリングコードとの一意のクロス乗積とすることができ得る。検出されたフェムトセルの一意の識別子が計算されると、プロセス１４００は、行為１４３０において、一致する一意の識別子エントリを求めてルックアップテーブルの探索を進める。次いで、プロセス１４００は、ターゲットフェムトセルを識別する行為１４３５において終わる。
【０１３２】
次に図１５を参照すると、フェムトセルのディスアンビギュエーションを容易にするための別の例示的な方法を示すフローチャートが与えられている。また、図示のように、プロセス１５００は、ディスアンビギュエーションユニットによって実行され得る一連の行為を含む。たとえば、プロセス１５００は、同じく、一連の行為を実装するためにコンピュータ可読記憶媒体に記憶されたコンピュータ実行可能命令を実行するためにプロセッサを採用することによって実装でき得る。別の実施形態では、少なくとも１つのコンピュータに、プロセス１５００の行為を実装させるためのコードを備えるコンピュータ可読記憶媒体が企図される。
【０１３３】
一態様では、プロセス１５００は、行為１５０５において、ディスアンビギュエーションユニットがユーザ機器報告を受信することから開始する。ここで、異なるタイプのユーザ機器が異なる機能を有し得る（たとえば、リリース９＋ユーザ機器は、プレリリース９ユーザ機器とは異なる機能を有する）ことを諒解されたい。たとえば、あるユーザ機器は、ターゲットフェムトセルに関連付けられたグローバルセル識別子を与えるように構成できるが、他のユーザ機器は構成できない。したがって、行為１５１０において、プロセス１５００は、受信されたユーザ機器報告がターゲットフェムトセルのグローバルセル識別子を含むかどうかを判断する。グローバルセル識別子が実際含まれていた場合、プロセス１５００は、ターゲットフェムトセルを容易に識別する行為１５３５において終わる。そうではなく、グローバルセル識別子が含まれない場合、プロセス１５００は行為１５１５に進む。
【０１３４】
行為１５１５において、ターゲットフェムトセルを識別することを容易にするために候補フェムトセルのリストをコンパイルする。ここで、候補フェムトセルのリストは、たとえば、（たとえば、受信されたユーザ機器電力に基づく）ユーザ機器に対する近傍測定値、前のハンドイン試行の履歴などを含む、複数のファクタのいずれかに従って評価され得ることに留意されたい。この特定の実施形態の場合、行為１５２０において、候補フェムトセルを、ターゲットフェムトセルであるそれらの可能性に従ってランク付けし、その後、行為１５２５においてテストする。一態様では、候補フェムトセルのテストは、それらの特定のランク付けに一致する順序で（たとえば、可能性が最も高いものから可能性が低いものに）実行され、候補フェムトセルは、個々にまたはグループ単位のいずれかでテストされ得る。
【０１３５】
次に、行為１５３０において、プロセス１５００は、ターゲットフェムトセルが識別されるのを妨げる曖昧さが存在するかどうかを判断する。曖昧さが存在しない場合、プロセス１５００は、ターゲットフェムトセルを容易に識別する行為１５３５において終わる。そうではなく、曖昧さが実際存在する場合、行為１５４０において、カウンタを増分し、その後、プロセス１５００は、後続の候補をテストする行為１５２５にループバックする。
【０１３６】
次に図１６を参照すると、ブロック図は、様々な態様による例示的なフェムトセルユニットを示している。図示のように、フェムトセルユニット１６００は、プロセッサ構成要素１６１０と、メモリ構成要素１６２０と、受信構成要素１６３０と、スクランブル構成要素１６４０と、タイミング構成要素１６５０と、送信構成要素１６６０とを含むことができ得る。
【０１３７】
それぞれ割当てユニット９００およびディスアンビギュエーションユニット１２００中のプロセッサ構成要素９１０および１２１０と同様に、プロセッサ構成要素１６１０は、複数の関数のいずれかを実行することに関係するコンピュータ可読命令を実行するように構成される。プロセッサ構成要素１６１０は、フェムトセルユニット１６００から通信される情報を分析すること、ならびに／あるいはメモリ構成要素１６２０、受信構成要素１６３０、スクランブル構成要素１６４０、タイミング構成要素１６５０、および／または送信構成要素１６６０によって利用できる情報を生成することに専用の単一のプロセッサまたは複数のプロセッサとすることができる。追加または代替として、プロセッサ構成要素１６１０は、フェムトセルユニット１６００の１つまたは複数の構成要素を制御するように構成でき得る。
【０１３８】
別の態様では、メモリ構成要素１６２０は、プロセッサ構成要素１６１０に結合され、プロセッサ構成要素１６１０によって実行されるコンピュータ可読命令を記憶するように構成される。メモリ構成要素１６２０はまた、受信構成要素１６３０、スクランブル構成要素１６４０、タイミング構成要素１６５０、および／または送信構成要素１６６０のいずれかによって生成されるデータを含む複数の他のタイプのデータのいずれかを記憶するように構成でき得る。ここで、メモリ構成要素１６２０は、割当てユニット９００およびディスアンビギュエーションユニット１２００中のメモリ構成要素９２０および１２２０にそれぞれ、類似することに留意されたい。したがって、メモリ構成要素９２０および／または１２２０の上述の特徴／構成のいずれかがまた、メモリ構成要素１６２０に適用可能であることを諒解されたい。
【０１３９】
さらに別の態様では、受信構成要素１６３０および送信構成要素１６６０はまた、プロセッサ構成要素１６１０に結合され、フェムトセルユニット１６００を外部エンティティとインターフェースするように構成される。たとえば、受信構成要素１６３０は、タイミングパラメータを含む通信（たとえば、マクロノードフレーム番号を含む、管理デバイス４２２からの通信）を受信するように構成でき得るが、送信構成要素１６６０は、フェムトセルユニット１６００からの信号をブロードキャストするように構成でき得る。ここで、送信構成要素１６６０はまた、たとえば、フェムトセルユニット１６００に関連付けられたスクランブリングパラメータ、タイミングパラメータに関係するオフセット、無線環境測定値、および／または受信されたユーザ機器電力を含む特定の属性を外部エンティティに通信するように構成でき得ることに留意されたい。
【０１４０】
一態様では、フェムトセルユニット１６００からブロードキャストされる信号はスクランブリングパラメータを含み、オフセットに従ってブロードキャストされる。このブロードキャストを容易にするために、フェムトセルユニットは、スクランブル構成要素１６４０とタイミング構成要素１６５０とを利用することができ得る。そのような実施形態内では、スクランブリング構成要素１６４０は、スクランブリングパラメータ（たとえば、プライマリスクランブリングコード）を設定するように構成されるが、タイミング構成要素１６５０は、タイミングパラメータに関係するオフセットを確認するように構成される（タイミング構成要素１６５０は、オフセットを選択し、および／または受信構成要素１６３０を介して受信された通信からオフセットを外挿するように構成でき得る）。
【０１４１】
次に図１７を参照すると、フェムトセルを識別することを容易にするシステム１７００が示されている。システム１７００、および／またはシステム１７００を実装するための命令は、たとえば、フェムトセルユニット１６００内に、またはコンピュータ可読記憶媒体内に物理的に常駐することができ、システム１７００は、プロセッサ、ソフトウェア、またはそれらの組合せ（たとえば、ファームウェア）によって実装される機能を表すことができる機能ブロックを含む。その上、システム１７００は、システム１０００および１３００中の論理グルーピング１００２および１３０２とそれぞれ同様に、連携して動作することができる電気的構成要素の論理グルーピング１７０２を含む。図示のように、論理グルーピング１７０２は、タイミングパラメータを含む通信を受信するための電気的構成要素１７１０、ならびにスクランブリングパラメータを設定するための電気的構成要素１７１２を含むことができる。論理グルーピング１７０２はまた、タイミングパラメータに関係するオフセットを確認するための電気的構成要素１７１４を含むことができる。さらに、論理グルーピング１７０２は、オフセットに従ってスクランブリングパラメータを含む信号をブロードキャストするための電気的構成要素１７１６を含むことができる。さらに、システム１７００は、電気的構成要素１７１０、１７１２、１７１４、および１７１６に関連付けられた機能を実行するための命令を保持するメモリ１７２０を含むことができ、電気的構成要素１７１０、１７１２、１７１４、および１７１６のいずれも、メモリ１７２０の内部または外部のいずれかに存在することができる。
【０１４２】
次に図１８を参照すると、フェムトセルを識別することを容易にする例示的な方法を示すフローチャートが与えられている。図示のように、プロセス１８００は、本明細書の一態様に従ってフェムトセルによって実行され得る一連の行為を含む。たとえば、プロセス１８００は、一連の行為を実装するためにコンピュータ可読記憶媒体に記憶されたコンピュータ実行可能命令を実行するためにプロセッサを採用することによって実装でき得る。別の実施形態では、少なくとも１つのコンピュータに、プロセス１８００の行為を実装させるためのコードを備えるコンピュータ可読記憶媒体が企図される。
【０１４３】
一態様では、プロセス１８００は、通信を受信する行為１８０５において開始し、その後、行為１８１０において、その通信からフェムトセルに対応するパラメータを抽出する。この特定の実施形態の場合、抽出されたパラメータは、スクランブリングパラメータおよび／またはタイミングパラメータを含むことができ得る。一態様では、スクランブリングパラメータは、通信中に含まれるプライマリスクランブリングコードであるが、タイミングパラメータは、フェムトセルが信号をブロードキャストするために利用することになる、（フェムトセルを包含しているカバレージエリアを有するマクロセルに対する）タイミングオフセットを確認するために使用されるパラメータである。
【０１４４】
いくつかの実施形態の場合、タイミングオフセットがフェムトセルによって選択可能になり得ることに留意されたい。したがって、行為１８１５において、プロセス１８００は、オフセットが選択可能であるかどうかを判断する。たとえば、一実施形態では、タイミングオフセットは、初期通信中に明示的に含まれるが、別の実施形態では、フェムトセルがタイミングオフセットを選択するために利用するマクロセルのフレーム番号が与えられている。その上、タイミングオフセットが明示的に与えられた場合、プロセス１８００は、タイミングオフセットを確認する行為１８２５に進む。他の場合、行為１８２０において、フェムトセルがタイミングオフセットを選択する。
【０１４５】
タイミングオフセットの確認または選択のいずれかを行った後、プロセス１８００は、タイミングオフセットを設定する行為１８３０に進む。次いで、行為１８３５において、プライマリスクランブリングコードを設定する。次いで、プロセス１８００は、フェムトセルが、プライマリスクランブリングコードを含む信号をタイミングオフセットに従ってブロードキャストする行為１８４０において終わる。
【０１４６】
次に図１９を参照すると、ブロック図は、様々な態様による例示的なワイヤレス端末を示している。図示のように、ワイヤレス端末１９００は、プロセッサ構成要素１９１０と、メモリ構成要素１９２０と、検出構成要素１９３０と、識別子構成要素１９４０と、受信構成要素１９５０と、送信構成要素１９６０とを含むことができ得る。
【０１４７】
割当てユニット９００、ディスアンビギュエーションユニット１２００、およびフェムトセルユニット１６００中のプロセッサ構成要素９１０、１２１０、および１６１０とそれぞれ同様に、プロセッサ構成要素１９１０は、複数の関数のいずれかを実行することに関係するコンピュータ可読命令を実行するように構成される。プロセッサ構成要素１９１０は、ワイヤレス端末１９００から通信される情報を分析すること、ならびに／あるいはメモリ構成要素１９２０、検出構成要素１９３０、識別子構成要素１９４０、受信構成要素１９５０、および／または送信構成要素１９６０によって利用できる情報を生成することに専用の単一のプロセッサまたは複数のプロセッサとすることができる。追加または代替として、プロセッサ構成要素１９１０は、ワイヤレス端末１９００の１つまたは複数の構成要素を制御するように構成でき得る。
【０１４８】
別の態様では、メモリ構成要素１９２０は、プロセッサ構成要素１９１０に結合され、プロセッサ構成要素１９１０によって実行されるコンピュータ可読命令を記憶するように構成される。メモリ構成要素１９２０はまた、検出構成要素１９３０、識別子構成要素１９４０、受信構成要素１９５０、および／または送信構成要素１９６０のいずれかによって生成されるデータを含む複数の他のタイプのデータのいずれかを記憶するように構成でき得る。ここで、メモリ構成要素１９２０は、割当てユニット９００、ディスアンビギュエーションユニット１２００、およびフェムトセルユニット１６００中のメモリ構成要素９２０、１２２０、および１６２０にそれぞれ、類似することに留意されたい。したがって、メモリ構成要素９２０、１２２０、および／または１６２０の上述の特徴／構成のいずれかがまた、メモリ構成要素１９２０に適用可能であることを諒解されたい。
【０１４９】
図示のように、ワイヤレス端末１９００は、検出構成要素１９３０と識別子構成要素１９４０とをさらに含むことができ得る。そのような実施形態内では、検出構成要素１９３０は、アクティブな呼の間にターゲットフェムトセルを検出するように構成されるが、識別子構成要素１９４０は、ターゲットフェムトセルに関連付けられたグローバル識別子を確認するように構成される。ここで、識別子構成要素１９４０は、要求（たとえば、無線ネットワークコントローラ４１４からの要求）に応答してグローバル識別子を判断するように構成でき得、および／または識別子構成要素１９４０は、検出されたフェムトセルの検出時にグローバル識別子を自動的に判断するように構成でき得ることに留意されたい。
【０１５０】
さらに別の態様では、送信構成要素１９６０および受信構成要素１９５０はまた、プロセッサ構成要素１９１０に結合され、ワイヤレス端末１９００を外部エンティティとインターフェースするように構成される。たとえば、送信構成要素１９６０は、グローバル識別子を外部エンティティに（たとえば、無線ネットワークコントローラ４１４に）報告するように構成でき得るが、受信構成要素１９５０は、グローバル識別子を与えたいという要求（たとえば、無線ネットワークコントローラ４１４からのグローバル識別子を求める要求）を受信するように構成でき得る。
【０１５１】
次に図２０を参照すると、一実施形態による、フェムトセルへのハンドインを実行することを容易にするシステム２０００が示されている。システム２０００、および／またはシステム２０００を実装するための命令は、たとえば、ワイヤレス端末１９００内に、またはコンピュータ可読記憶媒体内に物理的に常駐することができ、システム２０００は、プロセッサ、ソフトウェア、またはそれらの組合せ（たとえば、ファームウェア）によって実装される機能を表すことができる機能ブロックを含む。その上、システム２０００は、システム１０００、１３００、および１７００中の論理グルーピング１００２、１３０２、および１７０２とそれぞれ同様に、連携して動作することができる電気的構成要素の論理グルーピング２００２を含む。図示のように、論理グルーピング２００２は、アクティブな呼の間にターゲットフェムトセルを検出するための電気的構成要素２０１０を含むことができる。さらに、論理グルーピング２００２は、ターゲットフェムトセルに関連付けられたグローバル識別子を確認するための電気的構成要素２０１２を含むことができる。論理グルーピング２００２はまた、グローバル識別子を外部エンティティに報告するための電気的構成要素２０１４を含むことができる。さらに、システム２０００は、電気的構成要素２０１０、２０１２、および２０１４に関連付けられた機能を実行するための命令を保持するメモリ２０２０を含むことができる。メモリ２０２０の外部にあるものとして図示されているが、電気的構成要素２０１０、２０１２、および２０１４はメモリ２０２０の内部に存在することができることを理解されたい。
【０１５２】
次に図２１を参照すると、フェムトセルへのハンドインを実行することを容易にするための例示的な方法を示すフローチャートが与えられている。図示のように、プロセス２１００は、本明細書の一態様に従ってワイヤレス端末によって実行され得る一連の行為を含む。たとえば、プロセス２１００は、一連の行為を実装するためにコンピュータ可読記憶媒体に記憶されたコンピュータ実行可能命令を実行するためにプロセッサを採用することによって実装でき得る。別の実施形態では、少なくとも１つのコンピュータに、プロセス２１００の行為を実装させるためのコードを備えるコンピュータ可読記憶媒体が企図される。
【０１５３】
一態様では、プロセス２１００は、ワイヤレス端末を初期化する行為２１０５において開始する。そのような実施形態内では、ワイヤレス端末は、複数の方法のいずれかで実行するために初期化され得る。たとえば、検出されたフェムトセルに対応するグローバル識別子を報告することに関して、ワイヤレス端末は、グローバルセル識別子を自動的に報告することか、または要求時にのみグローバルセル識別子を報告することのいずれかを行うために初期化され得る。
【０１５４】
ワイヤレス端末が初期化された後、プロセス２１００は、行為２１１０において、フェムトセルの検出を進め、その後、行為２１１５において、検出されたフェムトセルのグローバルセル識別子を自動的に報告すべきかどうかを判断する。ワイヤレス端末がグローバルセル識別子を自動的に報告するために初期化された場合、行為２１２５において、検出されたセルのグローバルセル識別子を確認し、その後、プロセス２１００は、行為２１３０においてグローバルセル識別子を報告することで終わる。そうではなく、ワイヤレス端末が要求時にのみグローバルセル識別子を報告するように構成された（すなわち、ワイヤレス端末は自動的に報告するように構成されない）場合、プロセス２１００は、グローバル識別子を求める要求が受信されたかどうかに関する判断を行う行為２１２０に進む。要求が実際受信された場合、行為２１２５において、検出されたセルのグローバルセル識別子を確認し、その後、プロセス２１００は、行為２１３０において、グローバルセル識別子を報告することで終わる。そうではなく、グローバルセル識別子を求める要求が行われなかった場合、プロセス２１００は、フェムトセルを監視し続ける行為２１１０にループバックする。
【０１５５】
例示的な通信システム
次に図２２を参照すると、様々な態様に従って実装される、複数のセル、すなわちセルＩ２２０２、セルＭ２２０４を含む例示的な通信システム２２００が与えられている。ここで、セル境界領域２２６８によって示されるように、近隣セル２２０２、２２０４はわずかに重複し、それによって近隣セル中の基地局によって送信される信号間の信号干渉のための可能性を生成することに留意されたい。システム２２００の各セル２２０２、２２０４は、３つのセクタを含む。様々な態様によれば、複数のセクタに再分割されなかったセル（Ｎ＝１）、２つのセクタをもつセル（Ｎ＝２）、および３つ以上のセクタをもつセル（Ｎ＞３）も可能である。セル２２０２は、第１のセクタ、セクタＩ２２１０と、第２のセクタ、セクタＩＩ２２１２と、第３のセクタ、セクタＩＩＩ２２１４とを含む。各セクタ２２１０、２２１２、および２２１４は、２つのセクタ境界領域を有し、各境界領域は、２つの隣接するセクタ間で共有される。
【０１５６】
セクタ境界領域は、近隣セクタ中の基地局によって送信される信号間の信号干渉のための電位を与える。ライン２２１６は、セクタＩ２２１０とセクタＩＩ２２１２との間のセクタ境界領域を表し、ライン２２１８は、セクタＩＩ２２１２とセクタＩＩＩ２２１４との間のセクタ境界領域を表し、ライン２２２０は、セクタＩＩＩ２２１４とセクタＩ２２１０との間のセクタ境界領域を表す。同様に、セルＭ２２０４は、第１のセクタ、セクタＩ２２２２と、第２のセクタ、セクタＩＩ２２２４と、第３のセクタ、セクタＩＩＩ２２２６とを含む。ライン２２２８は、セクタＩ２２２２とセクタＩＩ２２２４との間のセクタ境界領域を表し、ライン２２３０は、セクタＩＩ２２２４とセクタＩＩＩ２２２６との間のセクタ境界領域を表し、ライン２２３２は、セクタＩＩＩ２２２６とセクタＩ２２２２との間のセクタ境界領域を表す。セルＩ２２０２は、各セクタ２２１０、２２１２、２２１４中に基地局（ＢＳ）と、基地局Ｉ２２０６と、複数のエンドノード（ＥＮ）とを含む。セクタＩ２２１０は、ワイヤレスリンク２２４０、２２４２を介してＢＳ２２０６にそれぞれ結合されたＥＮ（１）２２３６とＥＮ（Ｘ）２２３８とを含み、セクタＩＩ２２１２は、ワイヤレスリンク２２４８、２２５０を介してＢＳ２２０６にそれぞれ結合されたＥＮ（１’）２２４４とＥＮ（Ｘ’）２２４６とを含み、セクタＩＩＩ２２１４は、ワイヤレスリンク２２５６、２２５８を介してＢＳ２２０６にそれぞれ結合されたＥＮ（１”）２２５２とＥＮ（Ｘ”）２２５４とを含む。同様に、セルＭ２２０４は、各セクタ２２２２、２２２４、および２２２６中に基地局Ｍ２２０８と複数のエンドノード（ＥＮ）とを含む。セクタＩ２２２２は、ワイヤレスリンク２２４０’、２２４２’を介してＢＳ  Ｍ２２０８にそれぞれ結合されたＥＮ（１）２２３６’とＥＮ（Ｘ）２２３８’とを含み、セクタＩＩ２２２４は、ワイヤレスリンク２２４８’、２２５０’を介してＢＳ  Ｍ２２０８にそれぞれ結合されたＥＮ（１’）２２４４’とＥＮ（Ｘ’）２２４６’とを含み、セクタＩＩＩ２２２６は、ワイヤレスリンク２２５６’、２２５８’を介してＢＳ２２０８にそれぞれ結合されたＥＮ（１”）２２５２’とＥＮ（Ｘ”）２２５４’とを含む。
【０１５７】
システム２２００はまた、ネットワークリンク２２６２、２２６４を介してＢＳ  Ｉ２２０６とＢＳ  Ｍ２２０８とにそれぞれ結合されたネットワークノード２２６０を含む。ネットワークノード２２６０はまた、ネットワークリンク２２６６を介して、たとえば、他の基地局、ＡＡＡサーバノード、中間ノード、ルータなどの他のネットワークノードと、インターネットとに結合される。ネットワークリンク２２６２、２２６４、２２６６は、たとえば、光ファイバケーブルとすることができ得る。各エンドノード、たとえば、ＥＮ１  ２２３６は、送信機ならびに受信機を含むワイヤレス端末とすることができ得る。ワイヤレス端末、たとえば、ＥＮ（１）２２３６は、システム２２００を移動することができ得、ＥＮが現在位置を特定されたセル中の基地局とワイヤレスリンクを介して通信することができ得る。ワイヤレス端末（ＷＴ）、たとえばＥＮ（１）２２３６は、基地局、たとえば、ＢＳ２２０６および／またはネットワークノード２２６０を介して、ピア（peer）ノード、たとえば、システム２２００中の他のＷＴ、または外部システム２２００と通信することができ得る。ＷＴ、たとえば、ＥＮ（１）２２３６は、セルフォン、ワイヤレスモデムをもつ個人情報端末などのモバイル通信デバイスとすることができ得る。それぞれの基地局は、トーンを割り振り、残りシンボル期間、たとえば、非ストリップシンボル期間中にトーンホッピングを判断するために採用される方法とは異なる、ストリップシンボル期間のための方法を使用してトーンサブセット割振りを実行する。ワイヤレス端末は、基地局から受信された情報、たとえば、基地局スロープＩＤ、セクタＩＤ情報とともにトーンサブセット割振り方法を使用して、それらが特定のストリップシンボル期間においてデータおよび情報を受信するために採用することができるトーンを判断する。トーンサブセット割振りシーケンスは、それぞれのトーン上のセクタ間干渉およびセル間干渉を拡散するために、様々な態様に従って構築される。主題システムについて主にセルラーモードのコンテキスト内で説明したが、本明細書で説明する態様によれば、複数のモードが利用可能であり、採用可能であり得ることを諒解されたい。
【０１５８】
例示的な基地局
図２３は、様々な態様による例示的な基地局２３００を示している。基地局２３００は、トーンサブセット割振りシーケンスを実装し、異なるトーンサブセット割振りシーケンスは、セルのそれぞれの異なるセクタタイプに対して生成される。基地局２３００は、図２２のシステム２２００の基地局２２０６、２２０８のうちのいずれか１つとして使用でき得る。基地局２３００は、バス２３０９によって互いに結合された、受信機２３０２と、送信機２３０４と、たとえば、ＣＰＵのプロセッサ２３０６と、入力／出力インターフェース２３０８と、メモリ２３１０とを含み、バス２３０９を介して、様々な要素２３０２、２３０４、２３０６、２３０８、および２３１０がデータおよび情報を交換し得る。
【０１５９】
受信機２３０２に結合されたセクタ化されたアンテナ２３０３は、基地局のセル内の各セクタからのワイヤレス端末送信から、データおよび他の信号、たとえば、チャネル報告を受信するために使用される。送信機２３０４に結合されたセクタ化されたアンテナ２３０５は、基地局のセルの各セクタ内のワイヤレス端末２４００（図２４を参照）に、データおよび他の信号、たとえば、制御信号、パイロット信号、ビーコン信号などを送信するために使用される。様々な態様では、基地局２３００は、複数の受信機２３０２および複数の送信機２３０４、たとえば、各セクタの個々の受信機２３０２および各セクタの個々の送信機２３０４を採用することができ得る。プロセッサ２３０６は、たとえば、汎用中央処理ユニット（ＣＰＵ）とすることができ得る。プロセッサ２３０６は、メモリ２３１０に記憶された１つまたは複数のルーチン２３１８の指示の下で基地局２３００の動作を制御し、方法を実装する。入出力インターフェース２３０８は、他のネットワークノードへの接続を与え、ＢＳ２３００を他の基地局、アクセスルータ、ＡＡＡサーバノードなど、他のネットワークとインターネットとに結合する。メモリ２３１０は、ルーチン２３１８とデータ／情報２３２０とを含む。
【０１６０】
データ／情報２３２０は、データ２３３６と、ダウンリンクストリップシンボル時間情報２３４０およびダウンリンクトーン情報２３４２を含むトーンサブセット割振りシーケンス情報２３３８と、ＷＴ情報、すなわちＷＴ１情報２３４６およびＷＴ  Ｎ情報２３６０の複数のセットを含むワイヤレス端末（ＷＴ）データ／情報２３４４とを含む。ＷＴ情報の各セット、たとえば、ＷＴ１情報２３４６は、データ２３４８と、端末ＩＤ２３５０と、セクタＩＤ２３５２と、アップリンクチャネル情報２３５４と、ダウンリンクチャネル情報２３５６と、モード情報２３５８とを含む。
【０１６１】
ルーチン２３１８は、通信ルーチン２３２２と基地局制御ルーチン２３２４とを含む。基地局制御ルーチン２３２４は、スケジューラモジュール２３２６と、ストリップシンボル期間のためのトーンサブセット割振りルーチン２３３０、シンボル期間の残り、たとえば、非ストリップシンボル期間のための他のダウンリンクトーン割振りホッピングルーチン２３３２、およびビーコンルーチン２３３４を含むシグナリングルーチン２３２８とを含む。
【０１６２】
データ２３３６は、ＷＴへの送信より前に符号化するための送信機２３０４のエンコーダ２３１４に送信されることになる、送信すべきデータと、受信に続いて受信機２３０２のデコーダ２３１２を通して処理された、ＷＴから受信されたデータとを含む。ダウンリンクストリップシンボル時間情報２３４０は、スーパースロット、ビーコンスロット、およびウルトラスロット構造情報などのフレーム同期構造情報と、所与のシンボル期間がストリップシンボル期間であるかどうかを指定する情報、およびそうであれば、ストリップシンボル期間のインデックス、ならびにそのストリップシンボルが基地局によって使用されたトーンサブセット割振りシーケンスを切り捨てるべきリセットポイントであるかどうかを指定する情報とを含む。ダウンリンクトーン情報２３４２は、基地局２３００に割り当てられたキャリア周波数、トーンの数および周波数、およびストリップシンボル期間に割り振られたトーンサブセットのセットを含む情報と、スロープ、スロープインデックスおよびセクタタイプなどの他のセルおよびセクタ固有の値とを含む。
【０１６３】
データ２３４８は、ＷＴ１  ２４００がピアノードから受信したデータと、ＷＴ１  ２４００がピアノードに送信されることを望むデータと、ダウンリンクチャネル品質報告フィードバック情報とを含むことができ得る。端末ＩＤ２３５０は、ＷＴ１  ２４００を識別する、基地局２３００によって割り当てられたＩＤである。セクタＩＤ２３５２は、ＷＴ１  ２４００が動作しているセクタを識別する情報を含む。セクタＩＤ２３５２は、たとえば、セクタタイプを判断するために使用できる。アップリンクチャネル情報２３５４は、ＷＴ１  ２４００が使用するように、スケジューラ２３２６によって割り振られたチャネルセグメント、たとえば、データのためのアップリンクトラフィックチャネルセグメント、要求、電力制御、タイミング制御などのための専用アップリンク制御チャネルを識別する情報を含む。ＷＴ１  ２４００に割り当てられた各アップリンクチャネルは、１つまたは複数の論理トーンを含み、各論理トーンはアップリンクホッピングシーケンスに続く。ダウンリンクチャネル情報２３５６は、データおよび／または情報をＷＴ１  ２４００に搬送するようにスケジューラ２３２６によって割り振られたチャネルセグメント、たとえば、ユーザデータのためのダウンリンクトラフィックチャネルセグメントを識別する情報を含む。ＷＴ１  ２４００に割り当てられた各ダウンリンクチャネルは１つまたは複数の論理トーンを含み、その各々はダウンリンクホッピングシーケンスに続く。モード情報２３５８は、ＷＴ１  ２４００の動作の状態、たとえば、スリープ、ホールド、オンを識別する情報を含む。
【０１６４】
通信ルーチン２３２２は、基地局２３００を、様々な通信動作を実行し、様々な通信プロトコルを実装するように制御する。基地局制御ルーチン２３２４は、基本基地局汎関数タスク、たとえば、信号発生および受信、スケジューリングを実行し、ストリップシンボル期間中にトーンサブセット割振りシーケンスを使用して信号をワイヤレス端末に送信することを含む、いくつかの態様の方法のステップを実装するように、基地局２３００を制御するために使用される。
【０１６５】
シグナリングルーチン２３２８は、そのデコーダ２３１２をもつ受信機２３０２と、そのエンコーダ２３１４をもつ送信機２３０４との動作を制御する。シグナリングルーチン２３２８は、送信データ２３３６と制御情報との生成を制御することを受け持つ。トーンサブセット割振りルーチン２３３０は、本態様の方法を使用して、さらにダウンリンクストリップシンボル時間情報２３４０とセクタＩＤ２３５２とを含むデータ／情報２３２０を使用して、ストリップシンボル期間中に使用すべきトーンサブセットを構築する。ダウンリンクトーンサブセット割振りシーケンスは、セル中のセクタタイプごとに異なり、また、隣接するセルごとに異なる。ＷＴ２４００は、ダウンリンクトーンサブセット割振りシーケンスに従ってストリップシンボル期間中に信号を受信し、基地局２３００は、送信信号を生成するために、同じダウンリンクトーンサブセット割振りシーケンスを使用する。他のダウンリンクトーン割振りホッピングルーチン２３３２は、ストリップシンボル期間以外のシンボル期間のために、ダウンリンクトーン情報２３４２とダウンリンクチャネル情報２３５６とを含む情報を使用して、ダウンリンクトーンホッピングシーケンスを構築する。ダウンリンクデータトーンホッピングシーケンスは、セルのセクタにわたって同期させられる。ビーコンルーチン２３３４は、同期の目的のために、たとえば、ダウンリンク信号のフレームタイミング構造、したがってウルトラスロット境界に関するトーンサブセット割振りシーケンスを同期させるために使用され得るビーコン信号、たとえば、１つまたは数個のトーン上に集中される比較的高い電力信号の信号の送信を制御する。
【０１６６】
例示的なワイヤレス端末
図２４は、図２２に示すシステム２２００のワイヤレス端末（エンドノード）のいずれか１つ、たとえば、ＥＮ（１）２２３６として使用できる例示的なワイヤレス端末（エンドノード）２４００を示している。ワイヤレス端末２４００はトーンサブセット割振りシーケンスを実装する。ワイヤレス端末２４００は、バス２４１０によって互いに結合された、デコーダ２４１２を含む受信機２４０２と、エンコーダ２４１４を含む送信機２４０４と、プロセッサ２４０６と、メモリ２４０８とを含み、バス２４１０を介して、様々な要素２４０２、２４０４、２４０６、２４０８がデータおよび情報を交換することができる。基地局（および／または異種ワイヤレス端末）から信号を受信するために使用されるアンテナ２４０３が、受信機２４０２に結合される。信号を、たとえば、基地局（および／または異種ワイヤレス端末）に送信するために使用されるアンテナ２４０５が、送信機２４０４に結合される。
【０１６７】
プロセッサ２４０６、たとえば、ＣＰＵは、ワイヤレス端末２４００の動作を制御し、ルーチン２４２０を実行することと、メモリ２４０８中のデータ／情報２４２２を使用することとによって方法を実装する。
【０１６８】
データ／情報２４２２は、ユーザデータ２４３４と、ユーザ情報２４３６と、トーンサブセット割振りシーケンス情報２４５０とを含む。ユーザデータ２４３４は、ピアノードを対象とする、送信機２４０４による基地局への送信より前に符号化するためのエンコーダ２４１４にルーティングされることになるデータと、受信機２４０２中のデコーダ２４１２によって処理された基地局から受信されたデータとを含むことができ得る。ユーザ情報２４３６は、アップリンクチャネル情報２４３８と、ダウンリンクチャネル情報２４４０と、端末ＩＤ情報２４４２と、基地局ＩＤ情報２４４４と、セクタＩＤ情報２４４６と、モード情報２４４８とを含む。アップリンクチャネル情報２４３８は、基地局に送信するときにワイヤレス端末２４００が使用するように、基地局によって割り当てられたアップリンクチャネルセグメントを識別する情報を含む。アップリンクチャネルは、アップリンクトラフィックチャネル、専用アップリンク制御チャネル、たとえば、要求チャネル、電力制御チャネル、およびタイミング制御チャネルを含むことができ得る。各アップリンクチャネルは１つまたは複数の論理トーンを含み、各論理トーンがアップリンクトーンホッピングシーケンスに続く。アップリンクホッピングシーケンスは、セルの各セクタタイプ間で異なり、隣接するセル間で異なる。ダウンリンクチャネル情報２４４０は、基地局がデータ／情報をＷＴ２４００に送信しているときに使用するために、基地局によってＷＴ２４００に割り当てられたダウンリンクチャネルセグメントを識別する情報を含む。ダウンリンクチャネルは、ダウンリンクトラフィックチャネルと割当てチャネルとを含むことができ得、各ダウンリンクチャネルは１つまたは複数の論理トーンを含み、各論理トーンは、セルの各セクタ間で同期させられるダウンリンクホッピングシーケンスに続く。
【０１６９】
また、ユーザ情報２４３６は、基地局によって割り当てられた識別情報である端末ＩＤ情報２４４２と、ＷＴが通信を確立した特定の基地局を識別する基地局ＩＤ情報２４４４と、ＷＴ２４００が現在位置を特定されたセルの特定のセクタを識別するセクタＩＤ情報２４４６とを含む。基地局ＩＤ２４４４はセルスロープ値を与え、セクタＩＤ情報２４４６はセクタインデックスタイプを与え、セルスロープ値およびセクタインデックスタイプは、トーンホッピングシーケンスを導出するために使用でき得る。また、ユーザ情報２４３６中に含まれるモード情報２４４８は、ＷＴ２４００がスリープモード中か、ホールドモード中か、オンモード中かを識別する。
【０１７０】
トーンサブセット割振りシーケンス情報２４５０は、ダウンリンクストリップシンボル時間情報２４５２とダウンリンクトーン情報２４５４と含む。ダウンリンクストリップシンボル時間情報２４５２は、スーパースロット、ビーコンスロット、およびウルトラスロット構造情報などのフレーム同期構造情報と、所与のシンボル期間がストリップシンボル期間であるかどうかを指定する情報、およびそうであれば、ストリップシンボル期間のインデックス、ならびにそのストリップシンボルが基地局によって使用されたトーンサブセット割振りシーケンスを切り捨てるべきリセットポイントであるかどうかを指定する情報とを含む。ダウンリンクトーン情報２４５４は、基地局に割り当てられたキャリア周波数、トーンの数および周波数、およびストリップシンボル期間に割り振られたトーンサブセットのセットを含む情報と、スロープ、スロープインデックスおよびセクタタイプなどの他のセルおよびセクタ固有の値とを含む。
【０１７１】
ルーチン２４２０は、通信ルーチン２４２４とワイヤレス端末制御ルーチン２４２６とを含む。通信ルーチン２４２４は、ＷＴ２４００によって使用される様々な通信プロトコルを制御する。ワイヤレス端末制御ルーチン２４２６は、受信機２４０２と送信機２４０４との制御を含む基本ワイヤレス端末２４００機能を制御する。ワイヤレス端末制御ルーチン２４２６はシグナリングルーチン２４２８を含む。シグナリングルーチン２４２８は、ストリップシンボル期間のためのトーンサブセット割振りルーチン２４３０と、シンボル期間の残り、たとえば、非ストリップシンボル期間のための他のダウンリンクトーン割振りホッピングルーチン２４３２とを含む。トーンサブセット割振りルーチン２４３０は、いくつかの態様に従ってダウンリンクトーンサブセット割振りシーケンスを生成し、基地局から送信された受信されたデータを処理するために、ダウンリンクチャネル情報２４４０と、基地局ＩＤ情報２４４４、たとえば、スロープインデックスおよびセクタタイプと、ダウンリンクトーン情報２４５４とを含むユーザデータ／情報２４２２を使用する。他のダウンリンクトーン割振りホッピングルーチン２４３０は、ストリップシンボル期間以外のシンボル期間のために、ダウンリンクトーン情報２４５４とダウンリンクチャネル情報２４４０とを含む情報を使用して、ダウンリンクトーンホッピングシーケンスを構築する。トーンサブセット割振りルーチン２４３０は、プロセッサ２４０６によって実行されたとき、いつ、およびどのトーン上で、ワイヤレス端末２４００が基地局２３００から１つまたは複数のストリップシンボル信号を受信することになるかを判断するために使用される。アップリンクトーン割振りホッピングルーチン２４３０は、それが送信すべきトーンを判断するために、基地局から受信された情報とともにトーンサブセット割振り機能を使用する。
【０１７２】
１つまたは複数の例示的な実施形態では、説明した機能はハードウェア、ソフトウェア、ファームウェア、またはそれらの任意の組合せで実装でき得る。ソフトウェアで実装する場合、機能は、１つまたは複数の命令またはコードとしてコンピュータ可読媒体上に記憶するか、あるいはコンピュータ可読媒体を介して送信することができ得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスできる任意の利用可能な媒体とすることができ得る。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを担持または記憶するために使用でき、コンピュータによってアクセスできる、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１７３】
実施形態がプログラムコードまたはコードセグメント中に実装されるとき、コードセグメントは、プロシージャ、関数、サブプログラム、プログラム、ルーチン、サブルーチン、モジュール、ソフトウェアパッケージ、クラス、あるいは命令、データ構造またはプログラムステートメントの任意の組合せを表すことができることを諒解されたい。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、フォワーディング、または送信することができる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【０１７４】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【０１７５】
ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。
【０１７６】
以上の説明は、１つまたは複数の実施形態の例を含む。もちろん、上述の実施形態について説明する目的で、構成要素または方法のあらゆる考えられる組合せについて説明することは不可能であるが、当業者は、様々な実施形態の多数のさらなる組合せおよび置換が可能であることを認識することができ得る。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。
【０１７７】
本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用でき、あるいは、たとえば、状態の確率分布を生成することができる。推論は、確率的、すなわち、データおよびイベントの考察に基づく当該の状態の確率分布の計算とすることができる。推論は、イベントおよび／またはデータのセットからより高いレベルのイベントを構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【０１７８】
さらに、本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
以下に本件出願当初の特許請求の範囲を付記する。
［Ｃ１］
フェムトセルへのユーザ機器のハンドインを容易にする方法であって、
前記フェムトセルを識別することと、
スクランブリングパラメータとタイミングパラメータとの関数である一意の識別子を前記フェムトセルに割り当てることと、
前記一意の識別子と前記フェムトセルとの間の関係を通信することと
を備える、方法。
［Ｃ２］
前記関係が、前記フェムトセルへの前記一意の識別子の割当てであり、前記通信することが、外部エンティティへの前記関係の通信を含む、［Ｃ１］に記載の方法。
［Ｃ３］
前記関係が、前記タイミングパラメータに関連付けられたフレーム番号またはタイミングオフセットのうちの少なくとも１つを識別し、前記通信することが前記フェムトセルへの前記関係の通信を含み、前記フレーム番号が相対または絶対のいずれかである、［Ｃ１］に記載の方法。
［Ｃ４］
前記フェムトセルに関連付けられたマクロノードに対応するプライマリスクランブリングコードを確認することをさらに備え、前記スクランブリングパラメータが前記プライマリスクランブリングコードに基づく、［Ｃ１］に記載の方法。
［Ｃ５］
前記確認することが、前記フェムトセルから少なくとも１つの候補プライマリスクランブリングコードの選択を受信することを含み、前記プライマリスクランブリングコードが前記選択から確認される、［Ｃ４］に記載の方法。
［Ｃ６］
前記プライマリスクランブリングコードが、近隣セルのペア間のワイヤレスチャネルの経路損失、マクロセルパイロット信号の品質、またはマクロセル信号の強度のうちの少なくとも１つを含む補助マクロセル情報から確認される、［Ｃ５］に記載の方法。
［Ｃ７］
前記一意の識別子が、前記フェムトセルに関連付けられたマクロノードに対する局在エリアに関して一意である、［Ｃ１］に記載の方法。
［Ｃ８］
フェムトセルへのユーザ機器のハンドインを容易にする装置であって、前記装置が、
メモリに記憶されたコンピュータ実行可能構成要素を実行するように構成されたプロセッサを備え、前記構成要素が、
前記フェムトセルを識別するように構成された識別構成要素と、
スクランブリングパラメータとタイミングパラメータとの関数である一意の識別子を前記フェムトセルに割り当てるように構成された割当て構成要素と、
前記一意の識別子と前記フェムトセルとの間の関係を通信するように構成された送信構成要素と
を含む、装置。
［Ｃ９］
前記関係が、前記フェムトセルへの前記一意の識別子の割当てであり、前記送信構成要素が、前記関係を外部エンティティに通信するように構成された、［Ｃ８］に記載の装置。
［Ｃ１０］
前記関係が、前記タイミングパラメータに関連付けられたフレーム番号を識別し、前記送信構成要素が、前記関係を前記フェムトセルに通信するように構成された、［Ｃ８］に記載の装置。
［Ｃ１１］
前記フェムトセルに関連付けられたマクロノードに対応するプライマリスクランブリングコードを確認するように構成されたコード構成要素をさらに備え、前記スクランブリングパラメータが前記プライマリスクランブリングコードに基づく、［Ｃ８］に記載の装置。
［Ｃ１２］
前記フェムトセルから少なくとも１つの候補プライマリスクランブリングコードの選択を受信するように構成された受信構成要素をさらに備える、［Ｃ１１］に記載の装置。
［Ｃ１３］
フェムトセルへのユーザ機器のハンドインを容易にするコンピュータプログラム製品であって、
少なくとも１つのコンピュータに、
前記フェムトセルを識別することと、
前記フェムトセルに関連付けられたスクランブリングパラメータと前記フェムトセルに関連付けられたタイミングパラメータとの関数である一意の識別子を前記フェムトセルに割り当てることと、
前記一意の識別子と前記フェムトセルとの間の関係を通信することと
を行わせるためのコードを備えるコンピュータ可読記憶媒体
を備える、コンピュータプログラム製品。
［Ｃ１４］
前記コードがさらに、前記少なくとも１つのコンピュータに、前記スクランブリングパラメータを前記タイミングパラメータと組み合わせることによって前記一意の識別子を確認させる、［Ｃ１３］に記載のコンピュータプログラム製品。
［Ｃ１５］
フェムトセルへのユーザ機器のハンドインを容易にする装置であって、
前記フェムトセルを識別するための手段と、
スクランブリングパラメータとタイミングパラメータとの関数である一意の識別子を前記フェムトセルに割り当てるための手段と、
前記一意の識別子と前記フェムトセルとの間の関係を通信するための手段と
を備える、装置。
［Ｃ１６］
前記スクランブリングパラメータを前記タイミングパラメータと組み合わせることによって前記一意の識別子を確認するための手段をさらに備える、［Ｃ１５］に記載の装置。
［Ｃ１７］
フェムトセルのディスアンビギュエーションを容易にする方法であって、
ターゲットフェムトセルに関連付けられた報告を受信することであって、前記報告が、前記ターゲットフェムトセルによってブロードキャストされた信号に関係する複数の属性を含む、受信することと、
前記ターゲットフェムトセルに関連付けられた識別子を確認することであって、前記識別子が、前記報告中に含まれる少なくとも１つの属性から確認される、確認することと、
前記ターゲットフェムトセルを少なくとも１つの他のフェムトセルと識別することであって、前記識別することが前記識別子に基づく、識別することと
を備える、方法。
［Ｃ１８］
複数の割当てを取得することをさらに備え、前記複数の割当ての各々が、フェムトセルを、対応する一意の識別子と排他的にペアにし、前記識別することが、前記識別子を、一致する一意の識別子と照合することを備える、［Ｃ１７］に記載の方法。
［Ｃ１９］
前記確認することが、前記報告に基づいてスクランブリングパラメータとタイミングパラメータとの各々を確認することをさらに備え、前記識別子が、前記スクランブリングパラメータと前記タイミングパラメータと基づく、［Ｃ１８］に記載の方法。
［Ｃ２０］
複数のノードのトポロジー表現を維持することをさらに備え、前記トポロジー表現が前記複数のノード間の相対情報を含み、前記タイミングパラメータが前記相対情報を使用して確認される、［Ｃ１９］に記載の方法。
［Ｃ２１］
候補フェムトセルのリストをコンパイルすることをさらに備える、［Ｃ１７］に記載の方法。
［Ｃ２２］
前記ターゲットフェムトセルである可能性に従って、候補フェムトセルの前記リストをランク付けすることをさらに備える、［Ｃ２１］に記載の方法。
［Ｃ２３］
前記ランク付けが、受信されたユーザ機器電力または前記複数の属性のうちの少なくとも１つに基づく、［Ｃ２２］に記載の方法。
［Ｃ２４］
前記ランク付けに一致する順序で候補フェムトセルの前記リストをテストすることをさらに備える、［Ｃ２２］に記載の方法。
［Ｃ２５］
候補フェムトセルの前記リストが個々にテストされる、［Ｃ２４］に記載の方法。
［Ｃ２６］
候補フェムトセルの前記リストがグループ単位でテストされる、［Ｃ２４］に記載の方法。
［Ｃ２７］
前記報告を生成したユーザ機器によってアクセス可能なフェムトセルのセットを識別することをさらに備え、再配置準備が、前記ユーザ機器によってアクセス可能なフェムトセルの前記セットを準備することのみを含む、［Ｃ２１］に記載の方法。
［Ｃ２８］
再配置メッセージ中に含まれる測定値、または候補フェムトセルの前記リスト中の候補フェムトセルによって実行されるアップリンクスクランブリング信号強度検出のうちの少なくとも１つに従って候補フェムトセルの前記リストを減らすことをさらに備える、［Ｃ２１］に記載の方法。
［Ｃ２９］
前記コンパイルすることが、候補フェムトセルの前記リストの各々に関連付けられた近傍測定値、または少なくとも１つの外部ノードから受信されたユーザ機器測定値のうちの少なくとも１つに基づく、［Ｃ２１］に記載の方法。
［Ｃ３０］
前記コンパイルすることが、候補フェムトセルの前記リストを検出することに関連付けられたしきい値を操作すること、または候補フェムトセルの前記リストの各々に関連付けられたハンドオーバ試行の履歴を維持することのうちの少なくとも１つを備える、［Ｃ２１］に記載の方法。
［Ｃ３１］
前記ターゲットフェムトセルに関連付けられたプライマリスクランブリングコードを与えるためにユーザ機器を初期化することをさらに備える、［Ｃ１７］に記載の方法。
［Ｃ３２］
前記識別することが、ソースセルに関連付けられたグローバル識別子、または前記ターゲットフェムトセルに関連付けられた無線環境測定値のセットのうちの少なくとも１つに基づく、［Ｃ１７］に記載の方法。
［Ｃ３３］
フェムトセルのディスアンビギュエーションを容易にする装置であって、前記装置が、
メモリに記憶されたコンピュータ実行可能構成要素を実行するように構成されたプロセッサを備え、前記構成要素が、
ターゲットフェムトセルに関連付けられた報告を受信するように構成された受信構成要素であって、前記報告が、前記ターゲットフェムトセルによってブロードキャストされた信号に関係する複数の属性を含む、受信構成要素と、
前記ターゲットフェムトセルに関連付けられた識別子を確認するように構成された確認構成要素であって、前記識別子が、前記報告中に含まれる少なくとも１つの属性から確認される、確認構成要素と、
前記識別子に基づいて、前記ターゲットフェムトセルを少なくとも１つの他のフェムトセルと識別するように構成された識別構成要素と
を含む、装置。
［Ｃ３４］
前記受信構成要素が、複数の割当てを受信するようにさらに構成され、前記複数の割当ての各々が、フェムトセルを対応する一意の識別子と排他的にペアにし、前記識別構成要素が、前記識別子を一致する一意の識別子に関連付けるように構成された、［Ｃ３３］に記載の装置。
［Ｃ３５］
前記確認構成要素が、スクランブリングパラメータとタイミングパラメータとの各々を発見するために前記報告を利用するようにさらに構成され、前記識別子が前記スクランブリングパラメータと前記タイミングパラメータとに基づく、［Ｃ３４］に記載の装置。
［Ｃ３６］
複数のノードのトポロジー表現を維持するように構成されたトポロジー構成要素をさらに備え、前記トポロジー表現が前記複数のノード間の相対情報を含み、前記タイミングパラメータが前記相対情報を使用して確認される、［Ｃ３５］に記載の装置。
［Ｃ３７］
候補フェムトセルのリストをコンパイルするように構成されたコンパイル構成要素をさらに備える、［Ｃ３３］に記載の装置。
［Ｃ３８］
前記コンパイル構成要素が、前記ターゲットフェムトセルである可能性に従って、候補フェムトセルの前記リストをランク付けするようにさらに構成された、［Ｃ３７］に記載の装置。
［Ｃ３９］
前記ランク付けが、受信されたユーザ機器電力または前記複数の属性のうちの少なくとも１つに基づく、［Ｃ３８］に記載の装置。
［Ｃ４０］
前記識別構成要素が、前記ランク付けに一致する順序で候補フェムトセルの前記リストをテストするように構成された、［Ｃ３８］に記載の装置。
［Ｃ４１］
前記識別構成要素が、候補フェムトセルの前記リストを個々にテストするように構成された、［Ｃ４０］に記載の装置。
［Ｃ４２］
前記識別構成要素が、候補フェムトセルの前記リストをグループ単位でテストするように構成された、［Ｃ４０］に記載の装置。
［Ｃ４３］
再配置準備を実行するように構成された準備構成要素をさらに備え、前記コンパイル構成要素が、前記報告を生成したユーザ機器によってアクセス可能なフェムトセルのセットを識別するように構成され、前記準備構成要素が、前記ユーザ機器によってアクセス可能なフェムトセルの前記セットのみに対して前記再配置準備を実行するように構成された、［Ｃ３７］に記載の装置。
［Ｃ４４］
前記コンパイル構成要素が、再配置メッセージ中に含まれる測定値、または候補フェムトセルの前記リストに対して実行されるアップリンク同期試行のうちの少なくとも１つに従って、候補フェムトセルの前記リストを減らすように構成された、［Ｃ３７］に記載の装置。
［Ｃ４５］
前記コンパイル構成要素が、候補フェムトセルの前記リストの各々に関連付けられた近傍測定値、または少なくとも１つの外部ノードから受信されたユーザ機器測定値のうちの少なくとも１つに基づいて、候補フェムトセルの前記リストをコンパイルするように構成された、［Ｃ３７］に記載の装置。
［Ｃ４６］
前記コンパイル構成要素が、候補フェムトセルの前記リストを検出することに関連付けられたしきい値を操作すること、または候補フェムトセルの前記リストの各々に関連付けられたハンドオーバ試行の履歴を維持することのうちの少なくとも１つによって、候補フェムトセルの前記リストをコンパイルするように構成された、［Ｃ３７］に記載の装置。
［Ｃ４７］
前記ターゲットフェムトセルに関連付けられたプライマリスクランブリングコードを与えるためにユーザ機器を初期化するように構成された送信構成要素をさらに備える、［Ｃ３３］に記載の装置。
［Ｃ４８］
前記ユーザ機器が、前記ターゲットフェムトセルが検出されると、前記プライマリスクランブリングコードを自動的に与えるように初期化される、［Ｃ４７］に記載の装置。
［Ｃ４９］
前記ユーザ機器が、要求を受信したときのみ、前記プライマリスクランブリングコードを与えるように初期化される、［Ｃ４７］に記載の装置。
［Ｃ５０］
前記識別構成要素が、ソースセルに関連付けられたグローバル識別子、または前記ターゲットフェムトセルに関連付けられた無線環境測定値のセットのうちの少なくとも１つに基づいて、前記ターゲットフェムトセルを識別するように構成された、［Ｃ３３］に記載の装置。
［Ｃ５１］
フェムトセルのディスアンビギュエーションを容易にするコンピュータプログラム製品であって、
少なくとも１つのコンピュータに、
ターゲットフェムトセルに関連付けられた報告を受信することであって、前記報告が、前記ターゲットフェムトセルによってブロードキャストされた信号に関係する複数の属性を含む、受信することと、
前記ターゲットフェムトセルに関連付けられた識別子を確認することであって、前記識別子が、前記報告中に含まれる少なくとも１つの属性から確認される、確認することと、
前記識別子に基づいて、前記ターゲットフェムトセルを少なくとも１つの他のフェムトセルと識別することと
を行わせるためのコードを備えるコンピュータ可読記憶媒体
を備える、コンピュータプログラム製品。
［Ｃ５２］
前記コードがさらに、前記少なくとも１つのコンピュータに、複数の割当てを取得させ、前記複数の割当ての各々が、フェムトセルを対応する一意の識別子と排他的にペアにし、前記コードがさらに、前記少なくとも１つのコンピュータに、前記識別子を、一致する一意の識別子に関連付けさせる、［Ｃ５１］に記載のコンピュータプログラム製品。
［Ｃ５３］
フェムトセルのディスアンビギュエーションを容易にする装置であって、
ターゲットフェムトセルに関連付けられた報告を受信するための手段であって、前記報告が、前記ターゲットフェムトセルによってブロードキャストされた信号に関係する複数の属性を含む、受信するための手段と、
前記ターゲットフェムトセルに関連付けられた識別子を確認するための手段であって、前記識別子が、前記報告中に含まれる少なくとも１つの属性から確認される、確認するための手段と、
前記識別子に基づいて、前記ターゲットフェムトセルを少なくとも１つの他のフェムトセルと識別するための手段と
を備える、装置。
［Ｃ５４］
候補フェムトセルのリストをコンパイルするための手段をさらに備える、［Ｃ５３］に記載の装置。
［Ｃ５５］
フェムトセルを識別することを容易にする方法であって、
タイミングパラメータを含む通信を受信することと、
スクランブリングパラメータを設定することと、
前記タイミングパラメータに関係するオフセットを確認することと、
前記スクランブリングパラメータを含む信号を前記オフセットに従ってブロードキャストすることと
を備える、方法。
［Ｃ５６］
前記スクランブリングパラメータ、前記オフセット、無線環境測定値、または受信されたユーザ機器電力のうちの少なくとも１つを外部エンティティに通信することをさらに備える、［Ｃ５５］に記載の方法。
［Ｃ５７］
前記確認することが、前記オフセットを選択することをさらに備える、［Ｃ５５］に記載の方法。
［Ｃ５８］
前記確認することが、前記通信から前記オフセットを外挿することをさらに備える、［Ｃ５５］に記載の方法。
［Ｃ５９］
フェムトセルを識別することを容易にする装置であって、前記装置が、
メモリに記憶されたコンピュータ実行可能構成要素を実行するように構成されたプロセッサを備え、前記構成要素が、
タイミングパラメータを含む通信を受信するように構成された受信構成要素と、
スクランブリングパラメータを設定するように構成されたスクランブル構成要素と、
前記タイミングパラメータに関係するオフセットを確認するように構成されたタイミング構成要素と、
前記スクランブリングパラメータを含む信号を前記オフセットに従ってブロードキャストするように構成された送信構成要素と
を含む、装置。
［Ｃ６０］
前記送信構成要素が、前記スクランブリングパラメータ、前記オフセット、無線環境測定値、または受信されたユーザ機器電力のうちの少なくとも１つを外部エンティティに通信するようにさらに構成された、［Ｃ５９］に記載の装置。
［Ｃ６１］
前記タイミング構成要素が、前記オフセットを選択するように構成された、［Ｃ５９］に記載の装置。
［Ｃ６２］
前記タイミング構成要素が、前記通信から前記オフセットを外挿するように構成された、［Ｃ５９］に記載の装置。
［Ｃ６３］
フェムトセルを識別することを容易にするコンピュータプログラム製品であって、
少なくとも１つのコンピュータに、
タイミングパラメータを含む通信を受信することと、
スクランブリングパラメータを設定することと、
前記タイミングパラメータに関係するオフセットを確認することと、
前記スクランブリングパラメータを含む信号を前記オフセットに従ってブロードキャストすることと
を行わせるためのコードを備えるコンピュータ可読記憶媒体
を備える、コンピュータプログラム製品。
［Ｃ６４］
前記コードがさらに、前記少なくとも１つのコンピュータに、前記スクランブリングパラメータ、前記オフセット、無線環境測定値、または受信されたユーザ機器電力のうちの少なくとも１つを外部エンティティに通信させる、［Ｃ６３］に記載のコンピュータプログラム製品。
［Ｃ６５］
フェムトセルを識別することを容易にする装置であって、
タイミングパラメータを含む通信を受信するための手段と、
スクランブリングパラメータを設定するための手段と、
前記タイミングパラメータに関係するオフセットを確認するための手段と、
前記スクランブリングパラメータを含む信号を前記オフセットに従ってブロードキャストするための手段と
を備える、装置。
［Ｃ６６］
前記確認するための手段が、前記オフセットを選択するための手段を含む、［Ｃ６５］に記載の装置。
［Ｃ６７］
前記確認するための手段が、前記通信から前記オフセットを外挿するための手段を含む、［Ｃ６５］に記載の装置。
［Ｃ６８］
フェムトセルへのハンドインを実行することを容易にする方法であって、
アクティブな呼の間にターゲットフェムトセルを検出することと、
前記ターゲットフェムトセルに関連付けられたグローバル識別子を確認することと、
前記グローバル識別子を外部エンティティに報告することと
を備える、方法。
［Ｃ６９］
前記グローバル識別子を確認したいという要求を受信することをさらに備え、前記グローバル識別子が、前記要求に応答して確認される、［Ｃ６８］に記載の方法。
［Ｃ７０］
前記確認することが、検出されるフェムトセルの検出時に自動的に実行される、［Ｃ６８］に記載の方法。
［Ｃ７１］
フェムトセルへのハンドインを実行することを容易にする装置であって、前記装置が、
メモリに記憶されたコンピュータ実行可能構成要素を実行するように構成されたプロセッサを備え、前記構成要素が、
アクティブな呼の間にターゲットフェムトセルを検出するように構成された検出構成要素と、
前記ターゲットフェムトセルに関連付けられたグローバル識別子を確認するように構成された識別子構成要素と、
前記グローバル識別子を外部エンティティに報告するように構成された送信構成要素とを含む、装置。
［Ｃ７２］
前記グローバル識別子を与えたいという要求を受信するように構成された受信構成要素をさらに備え、前記識別子構成要素が、前記要求に応答して前記グローバル識別子を判断するように構成された、［Ｃ７１］に記載の装置。
［Ｃ７３］
前記識別子構成要素が、検出されるフェムトセルの検出時に前記グローバル識別子を自動的に判断するように構成された、［Ｃ７１］に記載の装置。
［Ｃ７４］
前記識別子構成要素が、フレーム番号に関連付けられたタイミングオフセットに従って前記グローバル識別子を判断するように構成された、［Ｃ７１］に記載の装置。
［Ｃ７５］
前記グローバル識別子が、ソースセルアクティブモードトラフィックの中断なしに受信される、［Ｃ７４］に記載の装置。
［Ｃ７６］
フェムトセルへのハンドインを実行することを容易にするコンピュータプログラム製品であって、
少なくとも１つのコンピュータに、
アクティブな呼の間にターゲットフェムトセルを検出することと、
前記ターゲットフェムトセルに関連付けられたグローバル識別子を確認することと、
前記グローバル識別子を外部エンティティに報告することと
を行わせるためのコードを備えるコンピュータ可読記憶媒体
を備える、コンピュータプログラム製品。
［Ｃ７７］
前記コードがさらに、前記少なくとも１つのコンピュータに、前記グローバル識別子を与えたいという要求を受信させ、前記コードがさらに、前記少なくとも１つのコンピュータに、前記要求に応答して前記グローバル識別子を判断させる、［Ｃ７６］に記載のコンピュータプログラム製品。
［Ｃ７８］
フェムトセルへのハンドインを実行することを容易にする装置であって、
アクティブな呼の間にターゲットフェムトセルを検出するための手段と、
前記ターゲットフェムトセルに関連付けられたグローバル識別子を確認するための手段と、
前記グローバル識別子を外部エンティティに報告するための手段と
を備える、装置。
［Ｃ７９］
前記確認するための手段が、検出されるフェムトセルの検出時に前記グローバル識別子を自動的に確認するための手段を備える、［Ｃ７８］に記載の装置。
【図１】
0005389948.tif 000009
【図２】
0005389948.tif 000010
【図３】
0005389948.tif 000011
【図４】
0005389948.tif 000012
【図５】
0005389948.tif 000013
【図６】
0005389948.tif 000014
【図７】
0005389948.tif 000015
【図８】
0005389948.tif 000016
【図９】
0005389948.tif 000017
【図１０】
0005389948.tif 000018
【図１１】
0005389948.tif 000019
【図１２】
0005389948.tif 000020
【図１３】
0005389948.tif 000021
【図１４】
0005389948.tif 000022
【図１５】
0005389948.tif 000023
【図１６】
0005389948.tif 000024
【図１７】
0005389948.tif 000025
【図１８】
0005389948.tif 000026
【図１９】
0005389948.tif 000027
【図２０】
0005389948.tif 000028
【図２１】
0005389948.tif 000029
【図２２】
0005389948.tif 000030
【図２３】
0005389948.tif 000031
【図２４】
0005389948.tif 000032